(57)【特許請求の範囲】
【請求項１】
周波数の異なる複数のチャネル信号を多重化して伝送する多重無線送信装置において、
各チャネル対応に設けられた複数の送信部を有し、
該送信部が、
データ信号を変調した信号として得られる第１中間周波信号を出力する変調部と、
該変調部からの出力を第１ローカル信号を用いて周波数変換を施すことにより、該第１中間周波信号の有する周波数よりも該第１ローカル信号の有する周波数だけ高い周波数を有する第２中間周波信号を出力する第１周波数変換部と、
該第１周波数変換部から出力される該第２中間周波信号について該第１ローカル信号の有する周波数成分を除去する第１フィルタと、
該第１フィルタからの出力を第２ローカル信号を用いて周波数変換を施すことにより、該第２中間周波信号の有する周波数よりも該第２ローカル信号の有する周波数だけ高い周波数を有する無線周波数信号を出力する第２周波数変換部と、  少なくとも使用する複数チャネルの無線周波数信号に対応する通過帯域幅を有し、該第２周波数変換部から出力される該無線周波数信号をろ波するとともに該第２ローカル信号の有する周波数成分を除去する第２フィルタとをそなえて構成されたことを特徴とする、多重無線送信装置。
【請求項２】
該変調部が、ディジタルデータ信号をディジタル変調したあとにディジタル／アナログ変換することにより、該第１中間周波信号を出力するように構成されていることを特徴とする、請求項１記載の多重無線送信装置。
【請求項３】
該変調部が、ディジタルデータ信号をディジタル／アナログ変換したあとに、アナログ変調することにより、該第１中間周波信号を出力するように構成されていることを特徴とする、請求項１記載の多重無線送信装置。
【請求項４】
該第２中間周波信号は、その高調波成分が該無線周波数信号に重畳されないような周波数を有する信号として構成されていることを特徴とする、請求項１記載の多重無線送信装置。
【請求項５】
該第２中間周波信号は、少なくともその６次高調波成分以下の次数を有する高調波成分が該無線周波数信号に重畳されないような周波数を有する信号として構成されていることを特徴とする、請求項４記載の多重無線送信装置。
【請求項６】
該第２周波数変換部が、該第１フィルタからの出力を複数チャネルに対応する複数の周波数のうちのいずれかの周波数を有する該第２ローカル信号を用いて周波数変換を施すことにより、該無線周波数信号を出力するように構成されていることを特徴とする、請求項１記載の多重無線送信装置。
【請求項７】
周波数の異なる複数のチャネル信号を多重化して伝送する多重無線送信装置において、
各チャネル対応に設けられた複数の送信部を有し、
該送信部が、
ディジタルデータ信号をディジタル変調したあとディジタル／アナログ変換することにより得られる第１中間周波信号を出力するディジタル変調部と、
該ディジタル変調部からの出力を第１ローカル信号を用いて周波数変換を施すことにより、該第１中間周波信号の有する周波数よりも該第１ローカル信号の有する周波数だけ高い周波数を有し且つ少なくともその６次高調波成分以下の次数を有する高調波成分が送信信号としての少なくとも４ＧＨｚ帯以上の無線周波数信号に重畳されないような周波数を有する第２中間周波信号を出力する第１周波数変換部と、
該第１周波数変換部から出力される該第２中間周波信号について該第１ローカル信号の有する周波数成分を除去する第１フィルタと、
該第１フィルタからの出力を複数チャネルに対応する複数の周波数のうちのいずれかの周波数を有する第２ローカル信号を用いて周波数変換を施すことにより、該第２中間周波信号の有する周波数よりも該第２ローカル信号の有する周波数だけ高い上記無線周波数信号を出力する第２周波数変換部と、
少なくとも使用する複数チャネルの無線周波数信号に対応する通過帯域幅を有し、該第２周波数変換部から出力される該無線周波数信号をろ波するとともに該第２ローカル信号の有する周波数成分を除去する第２フィルタとをそなえて構成されたことを特徴とする、多重無線送信装置。
【請求項８】
該第２中間周波信号の周波数が、８４２．００ＭＨｚと８４５．０２ＭＨｚの間の所要の周波数に設定されていることを特徴とする、請求項７記載の多重無線送信装置。
【請求項９】
該第２中間周波信号の周波数が、８４４ＭＨｚの周波数に設定されていることを特徴とする、請求項８記載の多重無線送信装置。
【請求項１０】
該第２中間周波信号の周波数が、９６７．１ＭＨｚの周波数に設定されていることを特徴とする、請求項７記載の多重無線送信装置。
【請求項１１】
データ信号を変調した信号として得られる第１中間周波信号を上記の第１中間周波信号と無線周波数信号との中間の周波数を有する第２中間周波信号に周波数変換したのちこの第２中間周波信号を該無線周波数信号に周波数変換する複数の送信部を周波数の異なる複数のチャネル信号に対応して有する対向側の多重無線送信装置からの該無線周波数信号を無線伝送路を介して受信するために、上記の各チャネルに対応して設けられた複数の受信部を有し、
該受信部が、
少なくとも使用する複数チャネルの無線周波数に対応する通過帯域幅を有し、受信された該無線周波数信号をろ波するとともに該無線周波数信号のイメージ信号の周波数成分を除去する第３フィルタと、
該第３フィルタからの出力を第３ローカル信号を用いて周波数変換を施すことにより、該無線周波数信号の有する周波数よりも該第３ローカル信号の有する周波数だけ低い周波数を有する第３中間周波信号を出力する第３周波数変換部と、
該第３周波数変換部からの出力を第４ローカル信号を用いて周波数変換を施すことにより、該第３中間周波信号の有する周波数よりも該第４ローカル信号の有する周波数だけ低い周波数を有する第４中間周波信号を出力する第４周波数変換部と、
該第４周波数変換部からの出力について復調処理を施すことにより該データ信号を復調する復調部とをそなえて構成された多重無線受信装置。
【請求項１２】
該多重無線送信装置における送信部が、ディジタルデータ信号をディジタル変調したあとにディジタル／アナログ変換することにより、該第１中間周波信号を生成するように構成されるとともに、
該復調部が、該第４周波数変換部からの出力についてアナログ／ディジタル変換したあとにディジタル復調することにより、該データ信号を復調するするように構成されていることを特徴とする、請求項１１記載の多重無線受信装置。
【請求項１３】
該多重無線送信装置における送信部が、ディジタルデータ信号をディジタル／アナログ変換したあとにアナログ変調することにより、該第１中間周波信号を生成するように構成されるとともに、
該復調部が、該第４周波数変換部からのアナログ出力についてアナログ復調したあとに、アナログ／ディジタル変換することにより、該ディジタルデータ信号を得るように構成されていることを特徴とする、請求項１１記載の多重無線受信装置。
【請求項１４】
該多重無線送信装置における送信部が、該第１フィルタからの出力を複数チャネルに対応する複数の周波数のうちのいずれかの周波数を有する該第２ローカル信号を用いて周波数変換を施すことにより、該無線周波数信号を出力するように構成されるとともに、
該第３周波数変換部が、該第３フィルタからの出力を複数チャネルに対応する複数の周波数のうちのいずれかの周波数を有する該第３ローカル信号を用いて周波数変換を施すことにより、該第３中間周波信号を出力するように構成されていることを特徴とする、請求項１１記載の多重無線受信装置。
【請求項１５】
周波数の異なる複数のチャネル信号を多重化して伝送するために、各チャネル対応に複数の送信部を有し、
該送信部が、
データ信号を変調した信号として得られる第１中間周波信号を出力する変調部と、
該変調部からの出力を第１ローカル信号を用いて周波数変換を施すことにより該第１中間周波信号の有する周波数よりも該第１ローカル信号の有する周波数だけ高い周波数を有する第２中間周波信号を出力する第１周波数変換部と、
該第１周波数変換部から出力される該第２中間周波信号について該第１ローカル信号の有する周波数成分を除去する第１フィルタと、
該第１フィルタからの出力を第２ローカル信号を用いて周波数変換を施すことにより、該第２中間周波信号の有する周波数よりも該第２ローカル信号の有する周波数だけ高い周波数を有する無線周波数信号を出力する第２周波数変換部と、
少なくとも使用する複数チャネルの無線周波数信号に対応する通過帯域幅を有し、該第２周波数変換部から出力される該無線周波数信号をろ波し該第２ローカル信号の有する周波数成分を除去する第２フィルタとを有する多重無線送信装置をそなえるとともに、
対向して配置されて周波数の異なる複数のチャネル信号を多重化して伝送するために各チャネル対応に複数の送信部を有する対向多重無線送信装置内の該送信部におけるデータ信号を変調した信号として得られる第１対向中間周波信号を、該第１対向中間周波信号と該対向多重無線送信装置から送信される対向無線周波数信号との中間の周波数を有する第２対向中間周波信号に周波数変換したのち、この第２対向中間周波信号を該対向無線周波数信号に周波数変換する該対向多重無線送信装置からの該対向無線周波数信号を無線伝送路を介して受信するために、該対向多重無線送信装置で使用される上記の各チャネルに対応して設けられた複数の受信部を有し、
該受信部が、
少なくとも使用する複数チャネルの対向無線周波数信号に対応する通過帯域幅を有し、受信された該対向無線周波数信号をろ波するとともに該対向無線周波数信号のイメージ信号の周波数成分を除去する第４フィルタと、
該第４フィルタからの出力を第５ローカル信号を用いて周波数変換を施すことにより、該対向無線周波数信号の有する周波数よりも該第５ローカル信号の有する周波数だけ低い周波数を有する第５中間周波信号を出力する第５周波数変換部と、
該第５周波数変換部からの出力を第６ローカル信号を用いて周波数変換を施すことにより、該第５中間周波信号の有する周波数よりも該第６ローカル信号の有する周波数だけ低い周波数を有する第６中間周波信号を出力する第６周波数変換部と、
該第６周波数変換部からの出力について復調処理を施すことにより該データ信号を復調する復調部とを有する多重無線受信装置をそなえて構成されたことを特徴とする、多重無線送受信装置。
【請求項１６】
周波数の異なる複数のチャネル信号を多重化して伝送するために、各チャネル対応に設けられた複数の送信部を有し、
該送信部が、
データ信号を変調した信号として得られる第１中間周波信号を出力する変調部と、
該変調部からの出力を第１ローカル信号を用いて周波数変換を施すことにより該第１中間周波信号の有する周波数よりも該第１ローカル信号の有する周波数だけ高い周波数を有する第２中間周波信号を出力する第１周波数変換部と、
該第１周波数変換部から出力される該第２中間周波信号について該第１ローカル信号の有する周波数成分を除去する第１フィルタと、
該第１フィルタからの出力を第２ローカル信号を用いて周波数変換を施すことにより、該第２中間周波信号の有する周波数よりも該第２ローカル信号の有する周波数だけ高い周波数を有する無線周波数信号を出力する第２周波数変換部と、  少なくとも使用する複数チャネルの無線周波数信号に対応する通過帯域幅を有し、該第２周波数変換部から出力される該無線周波数信号をろ波し該第２ローカル信号の有する周波数成分を除去する第２フィルタとを有する多重無線送信装置をそなえるとともに、
該多重無線送信装置における上記複数の該送信部からの該無線周波数信号を無線伝送路を介して受信するために、上記各チャネル対応に設けられた複数の受信部を有し、
該受信部が、
少なくとも使用する複数チャネルの無線周波数信号に対応する通過帯域幅を有し、受信された該無線周波数信号をろ波するとともに該無線周波数信号のイメージ信号の周波数成分を除去する第３フィルタと、
該第３フィルタからの出力を第３ローカル信号を用いて周波数変換を施すことにより、該無線周波数信号の有する周波数よりも該第３ローカル信号の有する周波数だけ低い周波数を有する第３中間周波信号として出力する第３周波数変換部と、
該第３周波数変換部からの出力を第４ローカル信号を用いて周波数変換を施すことにより、該第３中間周波信号の有する周波数よりも該第４ローカル信号の有する周波数だけ低い周波数を有する第４中間周波信号として出力する第４周波数変換部と、
該第４周波数変換部からの出力について復調処理を施すことにより該データ信号を復調する復調部とを有する多重無線受信装置をそなえて構成されたことを特徴とする、多重無線送受信システム。
【発明の詳細な説明】
【０００２】
【発明の属する技術分野】
本発明は、幹線系多重無線通信システムに用いて好適な、多重無線送信装置，多重無線受信装置，多重無線送受信装置及び多重無線送受信システムに関する。
【０００３】
【従来の技術】
近年、映像データを始めとする高速・大容量の情報を伝送する場合、情報データを伝送する手法として、ＳＤＨ（Ｓｙｎｃｈｒｏｎｏｕｓ  Ｄｉｇｉｔａｌ  Ｈｉｅｒａｒｃｈｙ）に基づいた同期多重化ＳＴＭ（Ｓｙｎｃｈｒｏｎｏｕｓ  Ｔｒａｎｓｆｅｒ  Ｍｏｄｅ）が多く用いられている。無線伝送路における、同期多重化ＳＴＭを用いた、多重化された幹線系の信号データを中継する多重無線送受信装置は、通常、高台に設置されており、マイクロ波帯での中継が行なわれる。
【０００４】
これらの周波数帯は、ＩＴＵ−Ｒ（Ｉｎｔｅｒｎａｔｉｏｎａｌ  Ｔｅｌｅｃｏｍｍｕｎｉｃａｔｉｏｎ  Ｕｎｉｏｎ  Ｒａｄｉｏ  Ｃｏｍｍｕｎｉｃａｔｉｏｎｓ  Ｓｅｃｔｏｒ：国際電気通信連合の無線通信部門）勧告という形で、割当て周波数帯と使用チャネルの配置等が細かく規定されている。
幹線系の多重無線通信システムは、Ｃバンドと呼ばれる周波数帯（３．４ＧＨｚ〜８．５ＧＨｚ）を使用しており、さらに、このバンドは、４Ｇ帯、５Ｇ帯、Ｌ６Ｇ帯、Ｕ６Ｇ帯、７Ｇ帯、Ｌ８Ｇ帯といったサブバンドに分類され、図１０から図１５に示すように、各サブバンド内でのチャネル配置が規定されている。なお、３．５Ｇ帯だけは、バンド端が３．４ＧＨｚ〜３．６ＧＨｚと規定されているだけで、各周波数配置の詳細は現在審議中であり、未だ公表されていない。
【０００５】
一方、マイクロ波帯での幹線系の多重無線通信システムに用いる変調方式については、ＩＴＵ−Ｒ勧告の中でこそ規定されてはいないが、各事業者は、６４値又は１２８値の直交振幅変調（６４ＱＡＭ（Ｑｕａｄｒａｔｕｒｅ  Ａｍｐｌｉｔｕｄｅ  Ｍｏｄｕｌａｔｉｏｎ）又は１２８ＱＡＭ）を採用している。この理由は、上記の規定内で、チャネル配置や、１チャネル当たりの占有帯域、隣接チャネル電力などの諸元を満たして、大容量データを通さなければならないので、周波数効率（１Ｈｚあたりの伝送速度）が優れているＱＡＭ方式が採用されている訳である。
【０００６】
図２３は、従来の幹線系の多重無線通信システムにおける、送信装置内にある送信部の要部を示すものであり、この図２３に示す多重無線送信装置３８は、周波数の異なる複数のチャネル信号を多重化して伝送するものであって、各チャネルに対応した複数の送信部３１、アンテナ３６、アンテナ共用器３７をそなえて構成されている。
【０００７】
ここで、各送信部３１は、同期多重化中継装置や伝送端局装置から送られてくる信号データ（例えば、ＳＤＨ網であればＳＴＭ−１）を、ベースバンド処理部（図示省略）において、ベースバンド処理を行なった後、変調して、無線回線に送出するものであり、変調部３２、Ｄ／Ａ（ディジタル・アナログ）変換器３３、周波数変換器３４、帯域フィルタ３５から構成されている。
【０００８】
ここで、変調部３２は、幹線系の多重化された信号データに変調を施すものであり、ミキサ３２ａ−１、ミキサ３２ａ−２、９０°移相器３２ｂ、局部発振器３２ｃ、ハイブリッド部３２ｄから構成される。
すなわち、Ｉチャネルの信号データは、ミキサ３２ａ−１によって、局部発振器３２ｃの７０ＭＨｚの出力信号と掛け合わされ、また、Ｑチャネルの信号データは、局部発振器３２ｃの出力が、９０°移相器３２ｂで９０°位相をずらされた後、ミキサ３２ａ−２によって、その出力とが掛け合わされる。これにより、これらの信号データは、７０ＭＨｚを中心とする周波数帯に変調され、ハイブリッド部３２ｄで合波される。ここで、７０ＭＨｚという値は、ローカル周波数と無線周波数（ＲＦ）との間隔を表す。
【０００９】
Ｄ／Ａ変換器３３は、変調部３２の出力をディジタルからアナログに変換するものである。
また、周波数変換器３４は、変調された７０ＭＨｚ帯の信号を、マイクロ波帯のＣバンドにアップコンバートするものであり、Ｄ／Ａ変換器３３の出力と、局部発振器３４ｂの出力における、約３ＧＨｚ〜約８ＧＨｚのマイクロ波搬送波とが、ミキサ３４ａによって掛け合わされる。
【００１０】
また、帯域フィルタ３５は、周波数変換器３４の出力におけるマイクロ波帯の変調信号を、エアインタフェースに規定される諸元に合致するよう、各チャネル毎に送信帯域制限するものである。
そして、アンテナ共用器３７は、帯域フィルタ３５の出力における帯域制限された信号を合波するものである。
【００１１】
また、アンテナ３６は、アンテナ共用器３７の出力における無線信号を送出するものである。
さて、一対の多重無線中継装置間での通信方法に目を向けると、各無線送受信装置が送受信するチャネルの使用する周波数を異ならせ、複数チャネルを一緒に使用可能とする多重化方式であるＦＤＭ（Ｆｒｅｑｕｅｎｃｙ  Ｄｉｖｉｓｉｏｎ  Ｍｕｌｔｉｐｌｅｘｉｎｇ）方式が用いられている。各対毎にＣバンド帯の異なるチャネルが割り当てられている例を、図２４に示す。この図２４に示す周波数帯は、Ｃバンド内のＵ６Ｇ帯であって、中継装置間で使用可能な、無線周波数（ＲＦ）チャネル群とローカル周波数チャネル群との周波数配置が、表されている。
【００１２】
すなわち、ダウンリンク用には、チャネル１（６４６０ＭＨｚ）〜チャネル８（６７４０ＭＨｚ）までが割り当てられており、これに対応するアップリンク用には、チャネル１′（６８００ＭＨｚ）〜チャネル８′（７０８０ＭＨｚ）までが割り当てられており、８通りのチャネルを選択できる。
ところが、無線周波数（ＲＦ）チャネル群とローカル周波数チャネル群とが、重なり合っており、送信装置側は、スプリアス抑圧のために、ローカル周波数信号が、この無線周波数（ＲＦ）チャネル群に漏れ出さないように、狭帯域な帯域フィルタを用いて除去しなければならない。
【００１３】
一方、受信装置側は、対向する中継装置から送信された周波数と同じ値の、受信装置を持っており、図２５に示すように、狭帯域な帯域フィルタを用いて、８通りのチャネルのうちから、使用しているチャネルだけを分離してやらなければならない。
ここで、対向するとは、ダウンリンクチャネルと、そのチャネルに対応するアップリンクチャネルとを用いて、通信している相手のことを指し、以下、同様な意味で用いる。
【００１４】
このため、送信部３１における、帯域フィルタ３５の通過特性は、狭帯域であることが要求されており、対向する受信装置側も、使用チャネルだけ選択するために、帯域フィルタの通過特性は、狭帯域であることが要求されている。
【００１５】
【発明が解決しようとする課題】
しかしながら、従来の技術では、このような、中心周波数をマイクロ波帯に持つ、狭帯域フィルタは、非常に高価で大型であった。
さらに、多重無線送受信装置内の各送信部、各受信部では、複数の周波数の異なるチャネルを使用してデータ伝送を行なっているので、各チャネルに対応した通過特性を持つ帯域フィルタが必要となって、各チャネルで帯域フィルタの汎用化ができなかった。
【００１６】
そのうえ、中継装置間でも、複数の周波数の異なるチャネルを使用してデータ伝送を行なっており、この場合もやはり、各チャネルに対応した通過特性を持つ帯域フィルタが必要となって、各チャネルで帯域フィルタの汎用化ができなかった。
本発明は、このような課題に鑑み創案されたもので、送信装置側は広い通過特性を持つ帯域フィルタを１種類だけ用意すればよく、また、受信装置側も、対向する送信装置から送られてくる周波数に対応する、送信装置と同じ通過特性を持つ帯域フィルタを１種類用意するだけでよいようにして、チャネル毎に別々の通過特性を持つ帯域フィルタを、同一の帯域フィルタに置き換えることで、多重無線送受信装置内の各送信部毎、各受信部毎、或いは、中継装置間での部材の汎用化を図ることにより、コストパフォーマンスを改善できるようにした、多重無線送信装置，多重無線受信装置，多重無線送受信装置及び多重無線送受信システムを提供することを目的とする。
【００１７】
【課題を解決するための手段】
このため、本発明の多重無線送信装置は、周波数の異なる複数のチャネル信号を多重化して伝送する多重無線送信装置において、各チャネル対応に設けられた複数の送信部を有し、該送信部が、データ信号を変調した信号として得られる第１中間周波信号を出力する変調部と、該変調部からの出力を第１ローカル信号を用いて周波数変換を施すことにより、該第１中間周波信号の有する周波数よりも該第１ローカル信号の有する周波数だけ高い周波数を有する第２中間周波信号を出力する第１周波数変換部と、該第１周波数変換部から出力される該第２中間周波信号について該第１ローカル信号の有する周波数成分を除去する第１フィルタと、該第１フィルタからの出力を第２ローカル信号を用いて周波数変換を施すことにより、該第２中間周波信号の有する周波数よりも該第２ローカル信号の有する周波数だけ高い周波数を有する無線周波数信号を出力する第２周波数変換部と、少なくとも使用する複数チャネルの無線周波数信号に対応する通過帯域幅を有し、該第２周波数変換部から出力される該無線周波数信号をろ波するとともに該第２ローカル信号の有する周波数成分を除去する第２フィルタとをそなえて構成されたことを特徴としている。
【００１８】
また、該変調部は、ディジタルデータ信号をディジタル変調したあとにディジタル／アナログ変換することにより、該第１中間周波信号を出力するように構成することができ、さらに、該変調部は、ディジタルデータ信号をディジタル／アナログ変換したあとに、アナログ変調することにより、該第１中間周波信号を出力するように構成することもできる。
【００１９】
そして、該第２中間周波信号を、その高調波成分が該無線周波数信号に重畳されないような周波数を有する信号として構成することができ、好ましくは、該第２中間周波信号を、少なくともその６次高調波成分以下の次数を有する高調波成分が該無線周波数信号に重畳されないような周波数を有する信号として構成することができ、また、該第１フィルタからの出力を複数チャネルに対応する複数の周波数のうちのいずれかの周波数を有する該第２ローカル信号を用いて周波数変換を施すことにより、該無線周波数信号を出力するように該第２周波数変換部を構成することができる。
【００２０】
また、本発明にかかる多重無線送信装置は、周波数の異なる複数のチャネル信号を多重化して伝送する多重無線送信装置において、各チャネル対応に設けられた複数の送信部を有し、該送信部が、ディジタルデータ信号をディジタル変調したあとディジタル／アナログ変換することにより得られる第１中間周波信号を出力するディジタル変調部と、該ディジタル変調部からの出力を第１ローカル信号を用いて周波数変換を施すことにより、該第１中間周波信号の有する周波数よりも該第１ローカル信号の有する周波数だけ高い周波数を有し且つ少なくともその６次高調波成分以下の次数を有する高調波成分が送信信号としての少なくとも４ＧＨｚ帯以上の無線周波数信号に重畳されないような周波数を有する第２中間周波信号を出力する第１周波数変換部と、該第１周波数変換部から出力される該第２中間周波信号について該第１ローカル信号の有する周波数成分を除去する第１フィルタと、該第１フィルタからの出力を複数チャネルに対応する複数の周波数のうちのいずれかの周波数を有する第２ローカル信号を用いて周波数変換を施すことにより、該第２中間周波信号の有する周波数よりも該第２ローカル信号の有する周波数だけ高い上記無線周波数信号を出力する第２周波数変換部と、少なくとも使用する複数チャネルの無線周波数信号に対応する通過帯域幅を有し、該第２周波数変換部から出力される該無線周波数信号をろ波するとともに該第２ローカル信号の有する周波数成分を除去する第２フィルタとをそなえて構成されたことを特徴としている。
【００２１】
ここで、上記の第２中間周波信号の周波数は、８４２．００ＭＨｚと８４５．０２ＭＨｚの間の所要の周波数に設定されてもよく、８４４ＭＨｚの周波数に設定されてもよく、９６７．１ＭＨｚの周波数に設定されてもよい。
【００２２】
また、本発明にかかる多重無線受信装置は、データ信号を変調した信号として得られる第１中間周波信号を上記の第１中間周波信号と無線周波数信号との中間の周波数を有する第２中間周波信号に周波数変換したのちこの第２中間周波信号を該無線周波数信号に周波数変換する複数の送信部を周波数の異なる複数のチャネル信号に対応して有する対向側の多重無線送信装置からの該無線周波数信号を無線伝送路を介して受信するために、上記の各チャネルに対応して設けられた複数の受信部を有し、該受信部が、少なくとも使用する複数チャネルの無線周波数に対応する通過帯域幅を有し、受信された該無線周波数信号をろ波するとともに該無線周波数信号のイメージ信号の周波数成分を除去する第３フィルタと、該第３フィルタからの出力を第３ローカル信号を用いて周波数変換を施すことにより、該無線周波数信号の有する周波数よりも該第３ローカル信号の有する周波数だけ低い周波数を有する第３中間周波信号を出力する第３周波数変換部と、該第３周波数変換部からの出力を第４ローカル信号を用いて周波数変換を施すことにより、該第３中間周波信号の有する周波数よりも該第４ローカル信号の有する周波数だけ低い周波数を有する第４中間周波信号を出力する第４周波数変換部と、該第４周波数変換部からの出力について復調処理を施すことにより該データ信号を復調する復調部とをそなえて構成されたことを特徴としている。
【００２３】
また、上記の多重無線送信装置における送信部が、ディジタルデータ信号をディジタル変調したあとにディジタル／アナログ変換することにより、該第１中間周波信号を生成するように構成されるとともに、対向する多重無線受信装置の復調部が、該第４周波数変換部からの出力についてアナログ／ディジタル変換したあとにディジタル復調することにより、該データ信号を復調するするように構成してもよい。
【００２４】
さらに、上記の多重無線送信装置における送信部が、ディジタルデータ信号をディジタル／アナログ変換したあとにアナログ変調することにより、該第１中間周波信号を生成するように構成されるとともに、対向する多重無線受信装置の復調部が、該第４周波数変換部からのアナログ出力についてアナログ復調したあとに、アナログ／ディジタル変換することにより、該ディジタルデータ信号を得るように構成してもよい。
【００２５】
また、上記の多重無線送信装置における送信部が、該第１フィルタからの出力を複数チャネルに対応する複数の周波数のうちのいずれかの周波数を有する該第２ローカル信号を用いて周波数変換を施すことにより、該無線周波数信号を出力するように構成されるとともに、対向する多重無線受信装置の第３周波数変換部が、該第３フィルタからの出力を複数チャネルに対応する複数の周波数のうちのいずれかの周波数を有する該第３ローカル信号を用いて周波数変換を施すことにより、該第３中間周波信号を出力するように構成してもよい。
【００２７】
さらに、本発明の多重無線送受信装置は、周波数の異なる複数のチャネル信号を多重化して伝送するために、各チャネル対応に複数の送信部を有し、該送信部が、データ信号を変調した信号として得られる第１中間周波信号を出力する変調部と、該変調部からの出力を第１ローカル信号を用いて周波数変換を施すことにより該第１中間周波信号の有する周波数よりも該第１ローカル信号の有する周波数だけ高い周波数を有する第２中間周波信号を出力する第１周波数変換部と、該第１周波数変換部から出力される該第２中間周波信号について該第１ローカル信号の有する周波数成分を除去する第１フィルタと、該第１フィルタからの出力を第２ローカル信号を用いて周波数変換を施すことにより、該第２中間周波信号の有する周波数よりも該第２ローカル信号の有する周波数だけ高い周波数を有する無線周波数信号を出力する第２周波数変換部と、少なくとも使用する複数チャネルの無線周波数信号に対応する通過帯域幅を有し、該第２周波数変換部から出力される該無線周波数信号をろ波し該第２ローカル信号の有する周波数成分を除去する第２フィルタとを有する多重無線送信装置をそなえるとともに、対向して配置されて周波数の異なる複数のチャネル信号を多重化して伝送するために各チャネル対応に複数の送信部を有する対向多重無線送信装置内の該送信部におけるデータ信号を変調した信号として得られる第１対向中間周波信号を、該第１対向中間周波信号と該対向多重無線送信装置から送信される対向無線周波数信号との中間の周波数を有する第２対向中間周波信号に周波数変換したのち、この第２対向中間周波信号を該対向無線周波数信号に周波数変換する該対向多重無線送信装置からの該対向無線周波数信号を無線伝送路を介して受信するために、該対向多重無線送信装置で使用される上記の各チャネルに対応して設けられた複数の受信部を有し、該受信部が、少なくとも使用する複数チャネルの対向無線周波数信号に対応する通過帯域幅を有し、受信された該対向無線周波数信号をろ波するとともに該対向無線周波数信号のイメージ信号の周波数成分を除去する第４フィルタと、該第４フィルタからの出力を第５ローカル信号を用いて周波数変換を施すことにより、該対向無線周波数信号の有する周波数よりも該第５ローカル信号の有する周波数だけ低い周波数を有する第５中間周波信号を出力する第５周波数変換部と、該第５周波数変換部からの出力を第６ローカル信号を用いて周波数変換を施すことにより、該第５中間周波信号の有する周波数よりも該第６ローカル信号の有する周波数だけ低い周波数を有する第６中間周波信号を出力する第６周波数変換部と、該第６周波数変換部からの出力について復調処理を施すことにより該データ信号を復調する復調部とを有する多重無線受信装置をそなえて構成されたことを特徴としている。
【００２８】
また、本発明にかかる多重無線送受信システムは、周波数の異なる複数のチャネル信号を多重化して伝送するために、各チャネル対応に設けられた複数の送信部を有し、該送信部が、データ信号を変調した信号として得られる第１中間周波信号を出力する変調部と、該変調部からの出力を第１ローカル信号を用いて周波数変換を施すことにより該第１中間周波信号の有する周波数よりも該第１ローカル信号の有する周波数だけ高い周波数を有する第２中間周波信号を出力する第１周波数変換部と、該第１周波数変換部から出力される該第２中間周波信号について該第１ローカル信号の有する周波数成分を除去する第１フィルタと、該第１フィルタからの出力を第２ローカル信号を用いて周波数変換を施すことにより、該第２中間周波信号の有する周波数よりも該第２ローカル信号の有する周波数だけ高い周波数を有する無線周波数信号を出力する第２周波数変換部と、少なくとも使用する複数チャネルの無線周波数信号に対応する通過帯域幅を有し、該第２周波数変換部から出力される該無線周波数信号をろ波し該第２ローカル信号の有する周波数成分を除去する第２フィルタとを有する多重無線送信装置をそなえるとともに、該多重無線送信装置における上記複数の該送信部からの該無線周波数信号を無線伝送路を介して受信するために、上記各チャネル対応に設けられた複数の受信部を有し、該受信部が、少なくとも使用する複数チャネルの無線周波数信号に対応する通過帯域幅を有し、受信された該無線周波数信号をろ波するとともに該無線周波数信号のイメージ信号の周波数成分を除去する第３フィルタと、該第３フィルタからの出力を第３ローカル信号を用いて周波数変換を施すことにより、該無線周波数信号の有する周波数よりも該第３ローカル信号の有する周波数だけ低い周波数を有する第３中間周波信号として出力する第３周波数変換部と、該第３周波数変換部からの出力を第４ローカル信号を用いて周波数変換を施すことにより、該第３中間周波信号の有する周波数よりも該第４ローカル信号の有する周波数だけ低い周波数を有する第４中間周波信号として出力する第４周波数変換部と、該第４周波数変換部からの出力について復調処理を施すことにより該データ信号を復調する復調部とを有する多重無線受信装置をそなえて構成されたことを特徴としている。
【００２９】
【発明の実施の形態】
以下、図面を参照して本発明の実施の形態を説明する。
（Ａ）本発明の第１実施形態の説明
図１は、本発明の第１実施形態にかかる、ディジタル変調方式を用いた幹線系多重無線送受信システムの構成図であるが、この図１に示すディジタル変調方式を用いた幹線系多重無線送受信システム２２は、同期多重化中継装置間、又は同期多重化中継装置と伝送端局装置との間で、幹線系の多重化された信号データ（ＳＴＭ−１）を中継するものであり、周波数の異なる複数のチャネル信号を多重化して伝送する多重無線送信装置（以下単に、送信装置ということがある）２０ａ、周波数の異なる多重化された複数のチャネル信号を受信する多重無線受信装置（以下単に、受信装置ということがある）２０ｂ、無線伝搬路２９から構成されている。
【００３０】
ここで、送信装置２０ａは、同期多重化中継装置や伝送端局装置から送られてくる幹線系の多重化された信号データ（ＳＴＭ−１）を、ディジタル変調して無線伝搬路２９に送出するものであり、各チャネル対応に設けられた複数の無線送信部１０ａ、アンテナ８ａ、アンテナ共用器９ａをそなえている。
この幹線系の多重化された信号データ（ＳＴＭ−１）のフレームフォーマットは、ヘッダとなるＳＯＨ（Ｓｅｃｔｉｏｎ  Ｏｖｅｒ  Ｈｅａｄ）と、多重化されたデータとにより構成されている。
【００３１】
ここで、ＳＯＨは、同期多重化中継装置間、又は同期多重化中継装置と伝送端局装置の間の、レイヤ２リンクを張るための付加ビットであり、これにより、誤り訂正、顧客サービス情報、再送制御用等の機能が発揮される。
また、ＳＴＭ−１の伝送速度は、１５５．５２Ｍｂｐｓであって、１ｃｈを６４ｋｂｐｓとしたときの電話回線２０１６チャネル（ｃｈ）に相当する。さらに、変調速度は、伝送速度１５５．５２Ｍｂｐｓを、ｌｏｇ２  （変調多値数）で割った値となる。すなわち、６４ＱＡＭを用いると、１５５．５２（Ｍｂｐｓ）／６（ｂｉｔｓ）＝約２６Ｍｂｐｓで、１２８ＱＡＭを用いると、１５５．５２（Ｍｂｐｓ）／７（ｂｉｔｓ）＝約２２Ｍｂｐｓである。
【００３２】
このように、変調速度は、ＳＴＭ−１伝送フレームフォーマット及びディジタル変調多値数によって一義的に決定される。
各無線送信部１０ａは、幹線系の多重化されたＳＴＭ−１データを、ベースバンド処理部で、必要なベースバンド処理を施した後、ディジタル変調するものであり、ディジタル変調部２ａ、第１周波数変換器３ａ、第１帯域フィルタ４ａ、第２周波数変換器５ａ、第２帯域フィルタ６ａ、高出力増幅器７ａをそなえている。
【００３３】
ディジタル変調部２ａは、ベースバンド処理部において、ベースバンド処理が行なわれたＳＴＭ−１データに、ディジタル変調を施すものであり、図２に示すように、ハイブリッド部１１ａ、マッピング部１２ａ、ロールオフフィルタ１３ａ−１、ロールオフフィルタ１３ａ−２、直交変調部１４ａ、Ｄ／Ａ変換器１８ａをそなえている。
【００３４】
ハイブリッド部１１ａは、ＳＴＭ−１データをシリアル・パラレル変換するものである。
マッピング部１２ａは、Ｉチャネル、Ｑチャネルの各データビットを、変調多値数分のビット数づつまとめてコンスタレーション（信号点配置）にマッピングして、振幅及び位相をエンコードするものである。
【００３５】
ロールオフフィルタ１３ａ−１は、相手側受信端で、符号間干渉が起きないように波形整形するためのもので、Ｉチャネル信号を変調速度の４倍の速さで、処理するものであり、同様にロールオフフィルタ１３ａ−２は、Ｑチャネル信号を変調速度の４倍の速さで、処理するものである。
直交変調部１４ａは、ロールオフフィルタ１３ａ−１の出力における、オーバーサンプリングされたＩチャネルと、ロールオフフィルタ１３ａ−２の出力における、オーバーサンプリングされたＱチャネルの各波形に、同じ変調速度の４倍の速さのクロックを掛け合わせて、ベースバンド変調するもので、ミキサ１５ａ−１、ミキサ１５ａ−２、直交キャリア発生器１６ａ、加算器１７ａをそなえて構成されている。
【００３６】
ミキサ１５ａ−１は、変調速度の４倍の速さでサンプリングされた、ロールオフフィルタ１３ａ−１の出力におけるＩチャネルの波形と、それと同じ速さを持つ直交キャリアとを掛け合わせるものであり、同様にミキサ１５ａ−２は、ロールオフフィルタ１３ａ−２の出力におけるＱチャネルの波形と、それと同じ速さを持つ直交キャリアとを掛け合わせるものである。
【００３７】
すなわち、図２の枠内に示すように、変調速度ｆＱ  の４倍の速さでサンプリングされた、振幅情報を持つＩチャネルデータは、直交キャリア発生器１６ａで作られた１，０，−１，０，１・・・という３値を取るｃｏｓ〔２・π・（４・ｆＱ  ）・ｔ〕を掛け合わせることで、
Ｉ，０，−Ｉ，０，Ｉ，０，−Ｉ，０，Ｉ，０，−Ｉ，・・・
というデータ列に変換される。
【００３８】
同様に、変調速度ｆＱ  の４倍の速さでサンプリングされた、振幅情報を持つＱチャネルデータも、直交キャリア発生器１６ａで作られた０，１，０，−１，０・・・という３値を取るｓｉｎ〔２・π・（４・ｆＱ  ）・ｔ〕を掛け合わせることによって、
０，Ｑ，０，−Ｑ，０，Ｑ，０，−Ｑ，０，Ｑ，０，・・・
というデータ列に変換される。
【００３９】
加算器１７ａは、ミキサ１５ａ−１の出力におけるＩチャネルデータと、ミキサ１５ａ−２の出力におけるＱチャネルデータとを和演算操作するものであり、その出力は、ｃｏｓとｓｉｎは、（π／２）だけ位相差があるので、
Ｉ，Ｑ，−Ｉ，−Ｑ，Ｉ，Ｑ，−Ｉ，−Ｑ，Ｉ，Ｑ，−Ｉ，・・・
というデータ列に変換される。
【００４０】
すなわち、変調部出力から見ると、ＩチャネルデータとＱチャネルデータとが、選択的に出力されているようになっている。
なお、直交キャリア発生器１６ａは、具体的には、ＬＳＩ（Ｌａｒｇｅ  Ｓｃａｌｅ  Ｉｎｔｅｇｒａｔｉｏｎ）内部のカウンタで、最速のクロックから分周して作られているものである。従って、任意の値の周波数を選択することはできない。
【００４１】
Ｄ／Ａ変換器１８ａは、直交変調部１４ａから出力されるディジタルデータをアナログデータに変換するものであり、出力スペクトラムは図３（ａ）のようになり、変調速度ｆＭ  を中心として現れる。
また、第１周波数変換器３ａは、ディジタル変調部２ａから出力された第１ＩＦ信号（第１中間周波数信号）の周波数よりも、その第１ローカル信号の有する周波数だけ高い周波数を有する第２ＩＦ信号（第２中間周波数信号）にアップコンバートするものであって、第１ローカル信号発振器３ａ−２の出力信号と、ディジタル変調部２ａから出力された第１ＩＦ信号とを、ミキサ３ａ−１でミキシングするものである。
【００４２】
なお、この第２ＩＦ信号の周波数値の決め方に関しては、後述する。
第１帯域フィルタ４ａは、第１周波数変換器３ａから出力される信号のうち、第１ローカル信号の有する周波数成分を除去し、第２ＩＦ信号のみを通過させるものである。図３（ｂ）に、第１帯域フィルタ４ａの通過特性を示す。同図のように、第２ＩＦ信号周波数である８４４ＭＨｚ（この第２ＩＦの周波数値の決め方に関しては、後述する）のみ通過させて、約２６ＭＨｚ低い、周波数（８１８ＭＨｚ）を有する、第１ローカル信号は、通過できない。
【００４３】
また、第２周波数変換器５ａは、第１帯域フィルタ４ａからの出力を、８種類の周波数を発振させることができる第２ローカル信号を用いて、アップコンバートすることにより、無線周波数（ＲＦ）信号を出力するものであって、第２ローカル信号を発生する第２ローカル信号発振器５ａ−２の出力信号と、第１帯域フィルタ４ａの出力における第２ＩＦ信号とを、ミキサ５ａ−１でミキシングするものである。
【００４４】
例えば、サブバンドとして、Ｕ６Ｇ帯を使用し、アップリンクを用いたときの、第２ローカル信号の周波数群と無線周波数（ＲＦ）信号群との配置を、図４に示す。同図のように、無線周波数（ＲＦ）信号群と、第２ローカル信号の周波数群とが、重畳しないで、周波数上で分離されている。
さらに、第２帯域フィルタ６ａは、少なくとも使用する複数チャネルの無線周波数信号に対応する通過帯域幅を有し、第２周波数変換器５ａから出力される無線周波数（ＲＦ）信号をろ波し、その第２ローカル信号の有する周波数成分を除去するものである。
【００４５】
図４に示す第２帯域フィルタ６ａの通過特性は、中心周波数がマイクロ波帯にあり、３４０ＭＨｚの通過帯域幅を持っている。すなわち、無線周波数（ＲＦ）信号群２８０ＭＨｚ及びその両端の帯域幅ガードスペース３０ＭＨｚを足し合わせたものとなる。これにより、無線周波数（ＲＦ）信号チャネル毎の狭い通過特性を持つ、第２帯域フィルタを用意せずに、広い通過特性を持つ１種類の第２帯域フィルタだけで、無線周波数（ＲＦ）信号群の各チャネルを、一括して通過させることができる。
【００４６】
また、第２ＩＦ周波数とローカル信号とを掛け合わせて得られる、イメージ周波数が、他のＣバンド内のサブバンドにある信号と、衝突しないように第２ＩＦ周波数の値を選択すれば、受信側でのＳ／Ｎ比を改善できる。
高出力増幅器７ａは、第２帯域フィルタ６ａから出力される無線周波数（ＲＦ）信号を高効率・低歪みで増幅するものである。
【００４７】
アンテナ８ａは、各無線送信部１０ａに、アンテナ共用器９ａを介して接続されることにより、各無線送信部１０ａから出力される、ディジタル変調を施された無線周波数（ＲＦ）信号を、無線伝搬路２９に送出するものである。すなわち、アンテナ８ａは、各無線送信部１０ａに共通なアンテナとして構成されている。
【００４８】
また、アンテナ共用器９ａは、各無線送信部１０ａから出力される無線周波数（ＲＦ）信号を、共通にアンテナ８ａに接続するものである。
一方、受信装置２０ｂは、無線伝搬路２９を通ってきた無線周波数（ＲＦ）信号をディジタル復調して、他の同期多重化中継装置や伝送端局装置に宛てて、ＳＴＭ−１信号を送出するものである。このため、図１に示す受信装置２０ｂは、アンテナ８ｂ、アンテナ共用器９ｂ、各チャネルに対応して設けられた複数の無線受信部１０ｂ、ベースバンド処理部（図示省略）をそなえている。
【００４９】
ここで、アンテナ８ｂは、各無線受信部１０ｂに、アンテナ共用器９ｂを介して接続されることにより、無線周波数（ＲＦ）信号を捕らえるものである。すなわち、アンテナ８ｂは、各無線受信部１０ｂに共通のアンテナとし構成されている。
また、各無線受信部１０ｂは、アンテナ８ｂで受信された無線周波数（ＲＦ）信号をディジタル復調して、ベースバンド処理を行なってから、ＳＴＭ−１信号を出力するもので、低雑音増幅器７ｂ、第３帯域フィルタ６ｂ、第３周波数変換器５ｂ、第４帯域フィルタ４ｂ、第４周波数変換器３ｂ、ディジタル復調部２ｂをそなえている。
【００５０】
低雑音増幅器７ｂは、アンテナ８ｂで受信された無線周波数（ＲＦ）信号を低雑音で増幅するものである。
また、第３帯域フィルタ６ｂは、少なくとも使用する複数チャネルの無線周波数信号に対応する通過帯域幅を有し、低雑音増幅器７ｂから出力される無線周波数（ＲＦ）信号の中から、イメージ信号の周波数成分を除去して、希望する信号だけを選択するものであり、無線周波数（ＲＦ）信号チャネル毎の帯域フィルタを用意しないで、１種類の帯域フィルタで、無線周波数（ＲＦ）信号の各チャネルを、一括して通過させることができる。この、第３帯域フィルタ６ｂの通過特性は、図４に示すようになる。ここで、受信側の第３ＩＦ信号は、８４４ＭＨｚを使用しているが、この理由は後述する。
【００５１】
第３周波数変換器５ｂは、第３帯域フィルタ６ｂから出力される無線周波数（ＲＦ）信号のうち、第３ローカル信号を用いて周波数変換を施すことにより、その無線周波数（ＲＦ）信号の有する周波数よりも第３ローカル信号の有する周波数だけ低い周波数を有する第３ＩＦ信号を出力するものであって、第３ローカル信号を発生する第３ローカル信号発振器５ｂ−２の出力における信号と、第３帯域フィルタ６ｂから出力される無線周波数（ＲＦ）信号とを、ミキサ５ｂ−１でミキシングするものである。
【００５２】
そして、第４帯域フィルタ４ｂは、第３周波数変換器５ｂの出力のうち、イメージ信号を取り除き、第３ＩＦ信号のみを通過させるものである。
この、第４帯域フィルタ４ｂの通過特性は、図３（ｂ）のように、第３ＩＦ信号周波数である８４４ＭＨｚのみ通過させて、約２６ＭＨｚ低い周波数（８１８ＭＨｚ）の第１ローカル信号は、通過させていない。ここで、この第２ＩＦの周波数値の決め方に関しては、後述する。
【００５３】
また、第４周波数変換器３ｂは、第４帯域フィルタ４ｂから出力される第３ＩＦ信号を、その第３ＩＦ信号の周波数よりも周波数の低い第４ＩＦ信号に、ダウンコンバートするものであって、第４ローカル信号を発生する第４ローカル信号発振器３ｂ−２の出力信号と、第４フィルタ４ｂから出力される無線周波数（ＲＦ）信号とを、ミキサ３ｂ−１でミキシングするものである。
【００５４】
さらに、ディジタル復調部２ｂは、第４周波数変換器３ｂからの出力を、ディジタル復調するものであり、図５に示すように、Ａ／Ｄ（アナログ・ディジタル）変換器１８ｂ、直交検波部１４ｂ、積分器１３ｂ−１、積分器１３ｂ−２、逆マッピング部１２ｂをそなえている。
Ａ／Ｄ変換器１８ｂは、第４周波数変換器３ｂからの第４ＩＦ信号を、アナログ・ディジタル変換するものである。
【００５５】
直交検波部１４ｂは、Ａ／Ｄ変換器１８ｂの出力ディジタル信号を、ディジタル復調するもので、Ａ／Ｄ変換器１８ｂの出力をシリアル・パラレル変換するハイブリッド部１７ｂ、直交キャリアｃｏｓ〔２・π・（４・ｖ）・ｔ〕とｓｉｎ〔２・π・（４・ｖ）・ｔ〕（ｖ：変調速度）とを発生させる直交キャリア発生器１６ｂ、及びＩチャネルデータに直交キャリアを掛け合わせることで、振幅値を持ったビット列を再生するミキサ１５ｂ−１、Ｑチャネルデータに直交キャリアを掛け合わせることで、振幅値を持ったビット列を再生するミキサ１５ｂ−２をそなえて構成されている。
【００５６】
さらに、積分器１３ｂ−１は、直交検波部１４ｂの出力である、高速にサンプリングされたＩチャネルのビット列から、変調速度ｖの速さの復調データのビット位置を抽出するものであり、同様に、積分器１３ｂ−２は、直交検波部１４ｂの出力である、高速にサンプリングされたＱチャネルのビット列から、変調速度ｖの速さの復調データのビット位置を抽出するものである。
【００５７】
逆マッピング部１２ｂは、積分器１３ｂ−１と積分器１３ｂ−２から出力される変調速度の速さの復調データビットから、振幅と位相をデコードして、変調多値数分のビット数づつ、実信号空間上の復調データが取り出される。
そして、この復調データは、ベースバンド処理部において、必要なベースバンド処理を施されてから、他の同期多重化中継装置や伝送端局装置に宛てて、ＳＴＭ−１データとして送出される。
【００５８】
さて、無線伝搬路２９は、対向する２箇所の中継装置間で、所要のチャネルを使用しての全２重通信が行なわれる。このうち、１種類のチャネルは予備に用いられ、主中継局は、無線信号を、例えば７種類のチャネルの中の１つのダウンリンク送信周波数Ｘで送信し、対向する従中継局は、その送られた送信周波数Ｘの信号を受信する。同時に、従中継局は、アップリンク送信周波数Ｘ′で送信し、対向する主中継局は、送信周波数Ｘ′の信号を受信する。
【００５９】
例えば、Ｃバンド内のＵ６Ｇ帯の周波数配置は、図１３に示すように、アップリンク用のチャネルは、チャネル１′（周波数６８００．０ＭＨｚ）〜チャネル８′（周波数７０８０．０ＭＨｚ）であり、一方、ダウンリンク用のチャネルは、チャネル１（周波数６４６０．０ＭＨｚ）〜チャネル８（周波数６７４０．０ＭＨｚ）である。
【００６０】
すなわち、送信側の帯域フィルタの通過特性と、受信側の帯域フィルタの通過特性とは、８種類のチャネルの中から１つを選択するので、対称となる。
このようにして、第２ＩＦ周波数及び第３ＩＦ周波数の値を、例えば８４４ＭＨｚに選択することによって、図４に示すように無線周波数（ＲＦ）信号帯、ローカル信号帯、イメージ周波数帯の３つの帯域が、重なり合うことがないよう配置することができる。これから、送信装置側は、ローカル信号帯が分離されるので、複数の無線周波数（ＲＦ）信号群を一括して通過させることができるような１種類の帯域フィルタを用意するだけでよく、多重無線送信装置内の各無線送信部毎、或いは、中継装置間での部材の汎用化を図ることができ、従来のように、各無線送信部毎、或いは、中継装置間に異なる通過特性を持つ帯域フィルタを個別に用意する必要がない。
【００６１】
また、第２ＩＦ周波数とローカル信号とを掛け合わせて得られる、イメージ周波数が、他のＣバンド内のサブバンドにある信号と、衝突しないように第２ＩＦ周波数の値を選択すれば、送信側は、送信スプリアスを出さなくてすみ、また、受信側は、受信のＳ／Ｎ比を改善できる。
同様に、受信装置側も、受信装置のフロントエンドで、各無線受信部毎、或いは、中継装置間で使用しているチャネルに対応する通過特性を持ったフィルタを用意する必要がなく、１種類の帯域フィルタだけでよく、多重無線受信装置内の各無線受信部毎、或いは、中継装置間での部材の汎用化を図ることが出来る。
【００６２】
このような、特別な値を考慮した中間周波数を、以下、送信側では最適第２ＩＦと、また、受信側では、最適第３ＩＦと呼ぶ。
次に、最適第２ＩＦ及び最適第３ＩＦを選択する方法を、以下詳述する。
最適第２ＩＦ信号Ｆ１（最適第３ＩＦ信号）の周波数値を決定する方針は、次のようになる。
【００６３】
▲１▼無線周波数（ＲＦ）信号帯、ローカル信号帯、イメージ周波数帯の３つの帯域が、重なりあうことなく分離されるためには、無線周波数（ＲＦ）信号帯の値と、ローカル信号帯の値とは十分離れてなければならない。なぜなら、その差が小さいと、無線周波数（ＲＦ）信号帯の中にローカル信号帯が混在してしまうからである。
【００６４】
▲２▼最適第２ＩＦ周波数、又は、最適第３ＩＦ周波数の下限を考慮する。
▲３▼イメージ周波数（ローカル信号の高調波と無線周波数（ＲＦ）信号の高調波から生成される理論上無限個の周波数群）が、無線周波数（ＲＦ）信号帯に落ちてこないようにする。すなわち、イメージ周波数の影響を、無線周波数（ＲＦ）信号が受けないようにする。
【００６５】
▲４▼Ｃバンド内（３．４ＧＨｚ〜８．５ＧＨｚ）の１つの送受信サブバンドだけで有効な値であるのみならず、その他のサブバンドのすべてにおいても、共通な第２ＩＦとして使用することが可能となるように選択する。
以下、▲１▼から▲４▼に関して、検討する。
▲１▼は、周波数差が、数１０ＭＨｚの小さいオーダーでは明らかに、幅が足りないので、数１００ＭＨｚに概略見当をつける。
【００６６】
次に、▲２▼について検討するが、送信側の第２ＩＦ周波数と受信側の第３ＩＦ周波数が、同一であることから、送信側の第２ＩＦ周波数だけに注目する。
▲２▼でいう、最適第２ＩＦ周波数の下限は、サブバンドの帯域幅によって決まる。すなわち、図４に示すように、送信無線周波数（ＲＦ）信号を、各バンド帯で共通の帯域フィルタで切り出すときには、ローカル信号帯の上端と、無線周波数（ＲＦ）信号帯の下端が重ならないようにするため、各周波数帯の中で、チャネル１〜チャネル８′の帯域幅と、そのバンド内の両端の帯域幅ガードスペース幅を足し合わせた値よりも大きくなければならない。ここで、各サブバンドのうち、最も大きい帯域幅を持つのは、Ｕ６Ｇ帯で、６８０ＭＨｚである。最適第２中間周波数をＦ１とすると、
Ｆ１＞６８０・・・・・・・・・・・・・・・・・・（１）
次に、▲３▼について、図６、図７を用いて説明する。
【００６７】
図６に、イメージ周波数が発生する周波数変換部の概念を示す。図６に示す周波数変換部は、第２中間周波数基本波Ｐ１と、搬送波周波数基本波Ｐ２とを掛け合わすものであるが、Ｐ１、Ｐ２双方の高調波も一緒に掛け合わされるので、不必要なイメージ周波数成分が発生する。ここで、イメージ周波数ｆｉ  は、Ｐ１とＰ２との整数次倍した項の和で表される。
【００６８】
ｆｉ  ＝ｍ・Ｐ１＋ｎ・Ｐ２・・・・・・・・・・・・・（２）
ここで、ｍ及びｎは整数を表す。例えばｆｉ  ＝Ｐ１＋Ｐ２は、ｍ＝１、ｎ＝１の搬送波上側波信号で、帯域フィルタで取り除かれない方であり、送信無線周波数（ＲＦ）信号に他ならない。一方、ｆｉ  ＝−Ｐ１＋Ｐ２は、ｍ＝−１、ｎ＝１の、搬送波下側波信号で、帯域フィルタで取り除かれる方である。
【００６９】
（２）式を変形すると、
ｆｉ  ／Ｐ２＝ｍ・（Ｐ１／Ｐ２）＋ｎ・・・・・・・・（３）
となり、横軸に（Ｐ１／Ｐ２）、縦軸に（ｆｉ  ／Ｐ２）を取って描くと、ｍは傾きを、また、ｎは切片を表す直線群が得られ、図７に、その一部であるｎ＝１、ｎ＝−２、ｎ＝−３、ｎ＝４、ｎ＝５の場合を例示した。
【００７０】
ｎ＝１と付された直線群は、ｆｉ  ＝Ｐ１＋Ｐ２（ｍ＝ｋ、ｎ＝１：ｋは整数）であって、切片が１で、傾きが＋∞〜−∞の直線群を表す。
同様に、ｎ＝−２、ｎ＝−３、ｎ＝４、ｎ＝５と付された直線群は、それぞれ、
ｆｉ  ＝Ｐ１＋Ｐ２（ｍ＝ｋ、ｎ＝−２：ｋは整数）
ｆｉ  ＝Ｐ１＋Ｐ２（ｍ＝ｋ、ｎ＝−３：ｋは整数）
ｆｉ  ＝Ｐ１＋Ｐ２（ｍ＝ｋ、ｎ＝４  ：ｋは整数）
ｆｉ  ＝Ｐ１＋Ｐ２（ｍ＝ｋ、ｎ＝５  ：ｋは整数）
であって、切片の位置を変えた、傾きが＋∞〜−∞の直線群を表す。
【００７１】
ここで、（Ｐ１／Ｐ２）は、Ｐ２値に対するＰ１値の比であって、０から１の間の値をとり、また、物理的にはＰ１の値の上限を表す。すなわち、搬送波Ｐ２は、３．４ＧＨｚ〜８．３ＧＨｚの値を取る大きい値であり、信号周波数を表すＰ１は、Ｐ２の値を越えない範囲の値を取る。そこで、同図の斜線で表した領域、つまり横軸（Ｐ１／Ｐ２）が、０から１の範囲のみに着目すればよく、図８に拡大図を示す。
【００７２】
縦軸の（ｆｉ  ／Ｐ２）は、Ｐ２値で規格化された、イメージ周波数ｆｉ  の大きさを表す。すなわち、縦軸スケールの伸縮を表す値である。
さて、図８において、Ｐ１＋Ｐ２と記された直線は、送信無線周波数（ＲＦ）信号であるので、上記▲３▼の条件を考慮しなければならない。すなわち、イメージ周波数の影響を、無線周波数（ＲＦ）信号が受けないようにする。
【００７３】
図８に示す太線（Ｐ１＋Ｐ２）は、無線回線上に送出される無線周波数（ＲＦ）であって、（Ｐ１＋Ｐ２）上で丁度交差する二本の直線は、その周波数において（Ｐ１＋Ｐ２）と衝突するイメージ周波数に他ならない。
ここで、横軸（Ｐ１／Ｐ２）の範囲を、実用上活用できるように、絞ってやらねばならない。なぜなら、上述のように、（Ｐ１／Ｐ２）は、Ｐ２値に対するＰ１値の比であって、１に近い値は取り得ないからである。
【００７４】
そこで、最適第２中間周波数Ｆ１の値を求めて、搬送波周波数Ｆ２の取りうる範囲を調べることによって、（Ｐ１／Ｐ２）軸−（ｆｉ  ／Ｐ２）軸の座標に、（Ｆ１／Ｆ２）の範囲を表す。
まず、最適第２中間周波数Ｆ１は、３．４ＧＨｚより小さく、上記の▲１▼や▲２▼から、少なくとも、無線周波数（ＲＦ）信号帯域幅の最大値である６８０ＭＨｚよりも、大きくなければならない。
【００７５】
また、▲４▼から、最適第２中間周波数Ｆ１は、Ｃバンド帯の他の各サブバンドでも、共通使用できる値にするために、かなり小さくする必要がある。なぜなら、例えば、送信無線周波数（ＲＦ）信号帯が４Ｇ帯では、Ｆ１を３ＧＨｚのような大きい値にすると、搬送波Ｆ２の値が、アップリンクにおいて、６２０ＭＨｚから８６０ＭＨｚという小さい値に割り当てられてしまうからである。
【００７６】
さらに、既存の帯域フィルタの中心周波数が、８００ＭＨｚ近辺であるものが多いことを考慮して、最適第２中間周波数Ｆ１を８００ＭＨｚとする。
なお、このＦ１の値は、８００ＭＨｚに限定されるものでなく、上述した範囲において任意の値をとることができ、それに応じて（Ｆ１／Ｆ２）も、慨略的には同じ範囲をとる。
【００７７】
また、このとき、Ｆ２は、Ｃバンド帯付近の範囲の値（Ｃバンド帯から８００ＭＨｚ低い側（２．６ＧＨｚ〜７．５ＧＨｚ））をとるので、（Ｆ１／Ｆ２）は８００／７５００〜８００／２６００（＝０．１１〜０．３１）の範囲の値をとる。
さらに、上記▲３▼を考慮するため、高調波の次数を、ｍ＝−６〜＋６、ｎ＝−６〜＋６の範囲に注目する。
【００７８】
このようにして、横軸（Ｐ１／Ｐ２）の範囲が、０．１１から０．３１の間になるので、この近辺に落ちてくるイメージ周波数の種別は限られ、同図に記したＡ、Ｂ、Ｃ、Ｄ、Ｅ、Ｆの６点である。すなわち、
0003608936.tif 000002
が該当する（＝は同一点を表す）。これら、（Ａ）、（Ｂ）、（Ｃ）、（Ｄ）、（Ｅ）、（Ｆ）の各グループのうち、少なくとも１つの式が５次以下の項で表されているもの、即ち、（Ａ）、（Ｃ）、（Ｄ）、（Ｅ）を選択し、（Ｂ）、（Ｆ）のように６次項以上の高調波の項があるものは減衰が大きいので除外する。ここで、（Ｄ）は６Ｆ１の影響が大変小さいので無視し、専ら２Ｆ２−４Ｆ１の影響による。また、（Ｅ）も同様である。すなわち、Ｆ１＋Ｆ２に影響を大きく及ぼす４Ｆ１、５Ｆ１、６Ｆ１、７Ｆ１が既存のＣバンド内のサブバンド帯に入らなければよいことになる。
【００７９】
そこで、上述の▲４▼のように、最適第２中間周波数Ｆ１の高調波であるｍ・Ｆ１が、既存のＣバンド内サブバンドと抵触しないように、最適第２中間周波数Ｆ１の値を決定すればよい。
図９に、Ｆ１の高調波ｆ＝ｍ・Ｆ１と、Ｃバンド帯の各サブバンドとの交錯状況を示す。ここで、横軸は周波数であり、縦軸は第２ＩＦの高調波成分の次数である。図９には、Ｃバンド内の３．５Ｇ帯（３．５Ｇ）、４Ｇ帯（４ＧＬ，４ＧＵ）、５Ｇ帯（５ＧＬ，５ＧＵ）、Ｌ６Ｇ帯（Ｌ６ＧＬ，Ｌ６ＧＵ）、Ｕ６Ｇ帯（Ｕ６ＧＬ，Ｕ６ＧＵ）、７Ｇ帯（７ＧＬ，７ＧＵ）、Ｌ８Ｇ帯（Ｌ８ＧＬ，Ｌ８ＧＵ）の７種類のサブバンド帯が表示されており、また、（Ｇ）、（Ｈ）、（Ｉ）、（Ｊ）、（Ｋ）、（Ｌ）、（Ｍ）と付された６本の直線が引かれており、最適第２中間周波数Ｆ１のｍ次高調波がどのサブバンド帯と交錯するかがわかる。
【００８０】
例えば、図中（Ｈ）を付された直線は、以下の条件を満足するようにフリーハンドで描かれている。
・４次高調波が、３．５Ｇ帯（３４００ＭＨｚ〜３６００ＭＨｚ）の下端に触れない。
・５次高調波が、４Ｇ帯のチャネル７からチャネル１′のチャネル未配置部（３８６０ＭＨｚ〜３９４０ＭＨｚ）を通る。
【００８１】
・６次高調波が、５Ｇ帯のチャネル７からチャネル１′のチャネル未配置部（４６７０ＭＨｚ〜４７３０ＭＨｚ）を通る。
・７次高調波が、Ｌ６Ｇ帯の下端（チャネル１＝５９４５．２０ＭＨｚ）に触れない。
以下、これら（Ｇ）から（Ｍ）まで付された６本の直線について、各サブバンドに抵触しない条件を詳細に検討する。なお、図１０から図１５にＩＴＵ−Ｒで勧告されている４Ｇ帯、５Ｇ帯、Ｌ６Ｇ帯、Ｕ６Ｇ帯、７Ｇ帯、Ｌ８Ｇ帯の各サブバンド帯でのチャネル配置を逐次参照する。ここで配置周波数の端におけるガードは中小容量で±１０Ｍ×２  ＝±２０ＭＨｚ、大容量で±１５Ｍ×２  ＝±３０ＭＨｚとする。
【００８２】
直線（Ｇ）：５・Ｆ１が、３．５Ｇ帯上端と４Ｇ帯下端との空隙を通過するようにする。
３６００＋２０＜５・Ｆ１＜３６２０−３０
∴解なし
直線（Ｈ）：４・Ｆ１が３．５Ｇ帯下端に非接触し、かつ、５・Ｆ１が４Ｇ帯の空隙を通過し、かつ、６・Ｆ１が５Ｇ帯の空隙を通過するようにする。
【００８３】
４・Ｆ１＜３４００−２０
∴Ｆ１＜８４５
３８６０＋３０＜５・Ｆ１＜３９４０−３０
∴７７８＜Ｆ１＜７８２
４６７０＋３０＜６・Ｆ１＜４７３０−３０
∴７８３＜Ｆ１＜７８３
∴これら３条件より解なし
直線（Ｉ）：４・Ｆ１が、３．５Ｇ帯下端に非接触し、かつ５・Ｆ１が４Ｇ帯上端に非接触し、かつ、６・Ｆ１が５Ｇ帯上端に非接触し、かつ、７・Ｆ１がＬ６Ｇ帯下端に非接触するようにする。
【００８４】
0003608936.tif 000003
直線（Ｊ）：４・Ｆ１が、３．５Ｇ帯上端に非接触し、かつ７・Ｆ１がＬ６Ｇ帯上端に非接触し、かつ、７・Ｆ１がＵ６Ｇ帯下端に、非接触するようにする。
【００８５】
３６００＋２０＜４・Ｆ１
∴Ｆ１＞９０５
６４０４．７９＋３０＜７・Ｆ１＜６４６０．０−３０
∴９１９．３＜Ｆ１＜９１８．６
∴これら２条件より解なし
直線（Ｋ）：７・Ｆ１が、Ｕ６帯空隙を通過し、かつ、８・Ｆ１がＬ８Ｇ帯下端に非接触するようにする。
【００８６】
0003608936.tif 000004
直線（Ｌ）：８・Ｆ１が、Ｌ８Ｇ帯上端に非接触するようにする。
【００８７】
８２６６．５７＋３０＜８・Ｆ１
∴Ｆ１  ＞１０３７
∴Ｆ２をＣバンド帯最小の３４００ＭＨｚとすると、（Ｆ１／Ｆ２）は１０３８／（３４００−１０３８）＝０．４４となり、図６の定義域０．１１〜０．３１からはずれるので除外。
【００８８】
直線（Ｍ）：６・Ｆ１が、３．５Ｇ帯下端に非接触するようにする。
0003608936.tif 000005
この結果、（１７）、（１８）、（１９）が中間周波数値として採用可能となる。
【００８９】
ところで、▲１▼の結果である（１）から、（１７）、（１８）が参酌されて、最適第２ＩＦとして採用される。すなわち、
８４２．００＜Ｆ１＜８４５．０２・・・・・・・・・・（２０）
Ｆ１  ＝９６７．１ＭＨｚ（７次までなら可能）・・・・・（２１）
が最適第２ＩＦである。
【００９０】
同様にして、受信側の最適第３ＩＦも、（２０）、（２１）を取る。
このようにして、本実施形態では、送信部で第１周波数変換を行なった後、更に第２ＩＦに周波数変換を行ない、また受信部で第３周波数変換を行なった後、更に第４ＩＦに周波数変換を行なうことにより、任意の第２中間周波数値、若しくは第３中間周波数値を設定することが可能となる。また、無線周波数（ＲＦ）信号群にイメージ周波数が入ってこない。
【００９１】
さらに、第２ＩＦ周波数及び第３ＩＦ周波数Ｆ１は、（２０）又は（２１）と選択することによって、実用的な範囲内では、Ｆ１の高調波である４・Ｆ１、５・Ｆ１、６・Ｆ１、７・Ｆ１がＣバンド内の既存バンドの無線信号に影響を与えないので、受信側のＳ／Ｎ比を改善させることができる。
その上、第２ＩＦ周波数及び第３ＩＦ周波数Ｆ１の値を、（２０）又は（２１）と選択することによって、送信無線周波数（ＲＦ）信号帯、ローカル周波数チャネル帯、イメージ周波数帯の３つの帯域が、重なりあうことなく分離される。
また、受信側も３つの帯域が分離されている状態で受信可能となる。
【００９２】
また、これによって、送信装置は、複数の無線周波数（ＲＦ）信号群を通過域に持つ帯域フィルタを１種類用意するだけでよく、無線周波数（ＲＦ）チャネル毎にフィルタリングをする必要がない。
一方、受信装置も、対向する送信装置側から送られたチャネルに対応する通過域に持つ帯域フィルタを１種類用意するだけでよく、無線周波数（ＲＦ）チャネル毎にフィルタリングをする必要がない。
【００９３】
すなわち、従来は、多重無線送信装置内の各無線送信部毎、多重無線受信装置内の各無線受信部毎、或いは、中継装置間で異なったフィルタ特性を有する帯域フィルタを必要としたが、本実施形態では、異なったチャネルを割当てられても、他の多重無線送信装置内の各無線送信部毎、多重無線受信装置内の各無線受信部毎、或いは、中継装置間で共通仕様の帯域フィルタを用いることができるので、部材の汎用化を促進することができ、この点から、低コスト化を図れるのである。
【００９４】
（Ａ１）第１実施形態の変形例
なお、上記の第１実施形態では、無線送信側中継局は、無線受信ユニットを持っておらず、また、無線受信側中継局は、無線送信ユニットを持っていない。しかし、双方の局とも、無線送信ユニットと無線受信ユニットの両方をそなえて構成できる。
【００９５】
この場合は、図１６に示すように、各局とも無線送受信ユニットをそなえたディジタル変調方式を用いた幹線系多重無線送受信システム２３は、同期多重化中継装置間、又は同期多重化中継装置と伝送端局装置との間で、幹線系の多重化された信号データ（ＳＴＭ−１）を中継するものであり、多重無線送受信装置２１ａ、多重無線送受信装置２１ｂ、無線伝搬路２９をそなえて構成されている。
【００９６】
すなわち、多重無線送受信装置２１ａと、多重無線送受信装置２１ｂは、それぞれ、複数のチャネルに対応した複数の無線送信部１０ａと、複数のチャネルに対応した複数の無線受信部１０ｂの両方を持ち、対向して配置されている。更に、このシステムは、周波数変換部を８個そなえている。
ここで、多重無線送受信装置２１ａは、他の同期多重化中継装置や伝送端局装置から送られてくる幹線系の多重化された信号データ（ＳＴＭ−１）を、周波数の異なる複数のチャネルを使用して、各無線送信部１０ａでディジタル変調して、Ｃバンド帯で無線回線上に送出し、更に、同時に、別の対向する多重無線送受信装置２１ｂの各無線送信部１０ａによってディジタル変調されて送信された、同バンド帯の別の周波数を用いた無線信号を、その無線受信部１０ｂで受信し、ディジタル復調した後、ベースバンド処理して、ＳＴＭ−１データを他の同期多重化中継装置や伝送端局装置に再送出するものである。この多重無線送受信装置２１ａは、複数の無線送信部１０ａ、複数の無線受信部１０ｂ、アンテナ８ａ、アンテナ共用器９ａ、ベースバンド処理部（図示省略）をそなえて構成されている。
ここで、多重無線送受信装置２１ａの各無線送信部１０ａは、他の同期多重化中継装置や伝送端局装置から送られてくる、幹線系の多重化された信号データ（ＳＴＭ−１）を、ベースバンド処理部を介して、ディジタル変調部２ａでディジタル変調し、そして、その出力における第１ＩＦ信号を、第１周波数変換器３ａで第２ＩＦ信号にアップコンバートし、第１帯域フィルタ４ａでろ波したのち、さらに第２周波数変換器５ａで無線周波数（ＲＦ）信号にアップコンバートし、第２帯域フィルタ６ａ、高出力増幅器７ａ、アンテナ共用器９ａを介して、アンテナ８ａからＣバンド帯で無線回線上に送出する。
【００９７】
また、多重無線送受信装置２１ａの各無線受信部１０ｂは、上記の、同バンド帯で対向して配置された、多重無線送受信装置２１ｂの各無線送信部１０ａより送出された、多重無線送受信装置２１ａの各送信周波数とは異なる周波数の各無線信号を、アンテナ８ａで受信し、そして、その信号を、アンテナ共用器９ａ、低雑音増幅器７ｂを経由させたのち、第７帯域フィルタ６ｂに通して、そのイメージ信号を除去した出力を第７周波数変換器５ｂを用いて、第７ＩＦ信号にダウンコンバートして、さらにその出力を第８帯域フィルタ４ｂに通し、再びその出力を第８周波数変換器３ｂで第８ＩＦ信号にダウンコンバートし、その出力をディジタル復調部２ｂでディジタル復調し、ベースバンド処理部を介して、ＳＴＭ−１データを他の同期多重化中継装置や伝送端局装置に送出する。
【００９８】
また、同様に、対向して配置されている多重無線送受信装置２１ｂは、対向する多重無線送受信装置２１ａの各無線送信部１０ａによってディジタル変調されて送信された、同バンド帯の別の周波数を用いた各無線信号を、その各無線受信部１０ｂで受信し、ディジタル復調した後、その各信号を他の同期多重化中継装置や伝送端局装置に再送出し、更に、同時に、他の同期多重化中継装置や伝送端局装置から送られてくる幹線系の多重化された信号データ（ＳＴＭ−１）を、ベースバンド処理をした後、周波数の異なる複数のチャネルを使用して、各無線送信部１０ａでディジタル変調して、Ｃバンド帯で無線回線上に送出するものである。この多重無線送受信装置２１ｂも同様に、複数の無線送信部１０ａ、複数の無線受信部１０ｂ、アンテナ８ａ、アンテナ共用器９ａ、ベースバンド処理部（図示省略）をそなえて構成されている。
【００９９】
ここで、多重無線送受信装置２１ｂの各無線受信部１０ｂは、多重無線送受信装置２１ａの各無線受信部１０ｂと同様であるが、上記の、対向して配置された、多重無線送受信装置２１ａの各無線送信部１０ａより送出された、各無線信号を、アンテナ８ｂで受信する。そして、アンテナ共用器９ｂ、低雑音増幅器７ｂを介して、その信号を第３帯域フィルタ６ｂに通して、そのイメージ信号を除去した出力を第３周波数変換器５ｂを用いて、第３ＩＦ信号にダウンコンバートして、さらにその出力を第４帯域フィルタ４ｂに通し、再びその出力を第４周波数変換器３ｂで第４ＩＦ信号にダウンコンバートし、その出力をディジタル復調部２ｂでディジタル復調し、ベースバンド処理を行なったＳＴＭ−１データを他の同期多重化中継装置や伝送端局装置に送出する。
【０１００】
また、多重無線送受信装置２１ｂの各無線送信部１０ａも、多重無線送受信装置２１ａの各無線送信部１０ａと同様であるが、他の同期多重化中継装置や伝送端局装置から送られてくる、幹線系の多重化された信号データ（ＳＴＭ−１）を、ベースバンド処理を行なった後、周波数の異なる複数のチャネルを使用して、ディジタル変調部２ａでディジタル変調する。そして、その出力における第５ＩＦ信号を、第５周波数変換器３ａで第６ＩＦ信号にアップコンバートし、第５帯域フィルタ４ａでろ波したのち、さらに第６周波数変換器５ａで無線周波数（ＲＦ）信号にアップコンバートし、第６帯域フィルタ６ａ、高出力増幅器７ａ、アンテナ共用器９ｂを介して、アンテナ８ｂからＣバンド帯で無線回線上に送出する。
【０１０１】
また、多重無線送受信装置２１ａの各無線送信部１０ａの送信周波数と、多重無線送受信装置２１ｂの各無線送信部１０ａの送信周波数とは、異なる値を用いており、かつ、その周波数の選択方法は、上記第１実施形態と同様に、Ｃバンド内の他のサブバンドに接触しないようになされている。
アンテナ共用器９ａ及びアンテナ共用器９ｂは、各無線送信部１０ａから出力される無線周波数（ＲＦ）信号を、各無線受信部１０ｂに漏らすことなく送信し、且つ、受信無線周波数（ＲＦ）信号を各無線送信部１０ａに漏らすことなく受信できるよう信号経路を分離させるものである。
【０１０２】
アンテナ８ａは、各無線送信部１０ａに、アンテナ共用器９ａを介して接続されることにより、各無線送信部１０ａから出力される、ディジタル変調を施された無線周波数（ＲＦ）信号を、無線伝搬路２９に送出するものであり、また、一方、各無線受信部１０ｂに、アンテナ共用器９ａを介して接続されることにより、無線周波数（ＲＦ）信号を捕らえるものである。
【０１０３】
すなわち、アンテナ８ａは、各無線送信部１０ａに共通な送信アンテナとして、また、各無線受信部１０ｂに共通の受信アンテナとして、構成されている。また、アンテナ８ｂについては、アンテナ８ａと同様である。
なお、図１６において、上記第１実施形態において使用された符号と同じ符号を持つ部材は、同様なもの、あるいは同様の機能を有するものであるので、更なる説明は省略する。
【０１０４】
このようにして本実施形態では、ベースバンド信号をディジタル変復調する方式であって、同期多重化中継装置間や、伝送端局装置と同期多重化中継装置間での、幹線系の多重化された信号データ（ＳＴＭ−１）を、双方向に送受信可能とすることができる。
すなわち、一方の多重無線送受信装置２１ａが、幹線系の多重化された信号データ（ＳＴＭ−１）を取り込んだ後に、各無線送信部１０ａで、ベースバンド処理を行なってディジタル変調し、第１周波数変換器で第２ＩＦ信号にアップコンバートし、さらに第２周波数変換器で無線周波数（ＲＦ）信号にアップコンバートして送出する。そして、その送信信号は、他方の多重無線送受信装置２１ｂの各無線受信部１０ｂで受信され、第３周波数変換器で第３ＩＦ信号にダウンコンバートされ、さらに第４周波数変換器で第４ＩＦ信号にダウンコンバートされた後、ディジタル復調され、ベースバンド処理を行なって他の同期多重化中継装置や伝送端局装置に送出される。
【０１０５】
また、多重無線送受信装置２１ｂは、幹線系の多重化された信号データ（ＳＴＭ−１）を取り込んだ後に、無線送信部１０ａで、ベースバンド処理を行なってディジタル変調し、第５周波数変換器で第６ＩＦ信号にアップコンバートし、さらに第６周波数変換器で無線周波数（ＲＦ）信号にアップコンバートして送出する。そして、その送信信号は、他方の多重無線送受信装置２１ａの各無線受信部１０ｂで受信され、第７周波数変換器で第７ＩＦ信号にダウンコンバートされ、さらに第８周波数変換器で第８ＩＦ信号にダウンコンバートされた後、ディジタル復調され、ベースバンド処理が行なわれた後、幹線系の多重化された信号データ（ＳＴＭ−１）を取り出して他の同期多重化中継装置や伝送端局装置に送出される。
【０１０６】
さらに、このように、双方向に伝送することによって、幹線系の多重化された信号データの伝送効率を、大幅に高めることができる。
また、一次変調出力の周波数値にかかわらず、任意の第２中間周波数値、若しくは第３中間周波数値を設定することが可能となる。
さらに、第２ＩＦ周波数の値及び第３ＩＦ周波数の値を、上記第１実施例で選択した値を用いることによって、Ｆ１の高調波である４・Ｆ１、５・Ｆ１、６・Ｆ１、７・Ｆ１がＣバンド内の既存バンドと交錯しない。
【０１０７】
その上、第２ＩＦ周波数の値及び第３ＩＦ周波数の値を、上記第１実施例で選択した値を用いることによって、送信無線周波数（ＲＦ）信号帯、ローカル周波数チャネル帯、イメージ周波数帯の３つの帯域が、重なりあうことなく分離される。これから、無線周波数（ＲＦ）信号と、イメージ周波数が実用上、衝突しないようにできる。
【０１０８】
また、これによって、対向して配置される２つの多重無線送受信装置は、各送信部に着目すると、それぞれ、複数の無線周波数（ＲＦ）信号群を通過域に持つ送信用帯域フィルタを１種類用意するだけでよく、無線周波数（ＲＦ）チャネル毎に送信フィルタリングをする必要がない。
一方、各受信部に着目すると、それぞれ、対向する各送信装置から送られたチャネルに対応する通過域を持つ受信用帯域フィルタを１種類用意するだけでよく、無線周波数（ＲＦ）チャネル毎に受信フィルタリングをする必要がない。
【０１０９】
すなわち、従来は、多重無線送受信装置内の各無線送信部毎、各無線受信部毎、或いは中継装置間で異なったフィルタ特性を有する帯域フィルタを必要としたが、本実施形態の変形例では、異なったチャネルを割当てられても、他の多重無線送受信装置内の各無線送信部毎、各無線受信部毎、或いは、中継装置間で共通仕様の帯域フィルタを用いることができるので、部材の汎用化を促進することができ、この点から、低コスト化を図れるのである。
【０１１０】
（Ｂ）本発明の第２実施形態の説明
上記の、第１実施形態及び第１実施形態の変形例では、無線中継装置の送信部において、幹線系の多重化された信号データ（ＳＴＭ−１）の変調方式は、ディジタル方式であり、ディジタル変調を施された信号は、２段階にアップコンバートされ、無線伝搬路２９に送出される。一方、対向する無線中継装置の受信部においては、受信した無線周波数（ＲＦ）信号は、２段階にダウンコンバートされ、ディジタル復調されて、ベースバンド処理が行なわれてから、幹線系の多重化された信号データ（ＳＴＭ−１）が取り出されている。
【０１１１】
これに対して、変復調方式に、アナログ方式を用いてもよい。
図１７は本発明の第２実施形態にかかるアナログ変調方式の幹線系多重無線送受信システムを示すもので、この図１７に示す、アナログ変調方式の幹線系多重無線送受信システム２４は、同期多重化中継装置間、又は同期多重化中継装置と伝送端局装置との間で、幹線系の多重化された信号データ（ＳＴＭ−１）を中継するものであり、周波数の異なる複数のチャネル信号を多重化して伝送する多重無線送信装置５１ａ、周波数の異なる多重化された複数のチャネル信号を受信する多重無線受信装置５１ｂ、無線伝搬路２９をそなえている。
【０１１２】
ここで、多重無線送信装置５１ａは、他の同期多重化中継装置や伝送端局装置から送られてくる、幹線系の多重化された信号データ（ＳＴＭ−１）を、周波数の異なる複数のチャネルを使用して、アナログ変調して、無線回線上に送出するものであり、各チャネル対応に設けられた複数の無線送信部５０ａ、アンテナ４８ａ、アンテナ共用器４９ａ、ベースバンド処理部（図示省略）をそなえている。
【０１１３】
また、各無線送信部５０ａは、幹線系の多重化された信号データ（ＳＴＭ−１）に、ベースバンド処理を行なってから、アナログ変調を施すもので、アナログ変調部４２ａ、第１周波数変換器４３ａ、第１帯域フィルタ４４ａ、第２周波数変換器４５ａ、第２帯域フィルタ４６ａ、高出力増幅器４７ａをそなえている。アナログ変調部４２ａは、ベースバンド処理部を行なったＳＴＭ−１データに、アナログ変調を施し、無線回線上に送出するものであり、図１８に示すように、ハイブリッド部６０ａ、マッピング部６１ａ、ロールオフフィルタ６２ａ−１、ロールオフフィルタ６２ａ−２、Ｄ／Ａ変換器６３ａ−１、Ｄ／Ａ変換器６３ａ−２、ミキサ６４ａ−１、ミキサ６４ａ−２、局部発振器６５ａ、９０°移相器６６ａ、合波器６７ａをそなえている。
【０１１４】
ハイブリッド部６０ａは、ＳＴＭ−１データをシリアル・パラレル変換するものである。
マッピング部６１ａは、Ｉチャネル、Ｑチャネルの各データビットを、変調多値数分のビット数づつまとめてコンスタレーション（信号点配置）に変調速度ｗでマッピングするものである。
【０１１５】
ロールオフフィルタ６２ａ−１は、相手方受信端で符号間干渉が起きないようにするため、Ｉチャネルデータを変調速度ｗの４倍の速さ（４・ｗ）で処理するものであり、同様に、ロールオフフィルタ６２ａ−２は、Ｑチャネルデータを変調速度ｗの４倍の速さ（４・ｗ）で処理するものである。
Ｄ／Ａ変換器６３ａ−１は、ロールオフフィルタ６２ａ−１からのディジタル出力を、アナログ値に変換するものであり、同様に、Ｄ／Ａ変換器６３ａ−２は、ロールオフフィルタ６２ａ−２からのディジタル出力を、アナログ値に変換するものである。
【０１１６】
ミキサ６４ａ−１は、Ｄ／Ａ変換器６３ａ−１から出力されるＩチャネルアナログ信号と、局部発振器６５ａの出力アナログｃｏｓを、混合するものであり、同様に、ミキサ６４ａ−２は、Ｄ／Ａ変換器６３ａ−２から出力されるＱチャネルアナログ信号と、９０°移相器６６ａの出力であるアナログｓｉｎを混合するものである。ここで、局部発振器６５ａの発振周波数は、ＩＴＵ−Ｒで規定された７０ＭＨｚである。なお、この発振周波数は、ディジタル変調の場合とは異なり、原理的には、任意の値を選択することが可能である。
【０１１７】
合波器６７ａは、ミキサ６４ａ−１、ミキサ６４ａ−２から出力される、ＩチャネルデータとＱチャネルデータを、合成するものであって、出力スペクトラムは図２０（ａ）のようになり、発振周波数ｆＬ  を中心として現れる。
また、第１周波数変換器４３ａは、アナログ変調部４２ａから出力された第１ＩＦ信号の有する周波数よりも、その第１ローカル信号の有する周波数だけ高い周波数を有する第２ＩＦ信号にアップコンバートするものであって、第１ローカル信号を発生する第１ローカル信号発振器４３ａ−２の出力信号と、アナログ変調部４２ａから出力される第１ＩＦ信号とを、ミキサ４３ａ−１でミキシングするものである。
【０１１８】
第１帯域フィルタ４４ａは、第１周波数変換器４３ａから出力される信号のうち、第１ローカル信号の有する周波数成分を除去し、第２ＩＦ信号のみを通過させるものである。第１帯域フィルタ４４ａの通過特性を、図２０（ｂ）に示す。同図のように、第２ＩＦ信号周波数である８４４ＭＨｚのみ通過させて、約２６ＭＨｚ低い周波数（８１８ＭＨｚ）の第１ローカル信号は、通過させてない。
【０１１９】
また、第２周波数変換器４５ａは、第１帯域フィルタ４４ａからの出力を、８個のチャネルの周波数を有する第２ローカル信号を用いてアップコンバートすることにより、無線周波数（ＲＦ）信号を出力するものであって、第２ローカル信号を発生する第２ローカル信号発振器４５ａ−２の出力信号と、第１帯域フィルタ４４ａから出力される第２ＩＦ信号とを、ミキサ４５ａ−１でミキシングするものである。
【０１２０】
例えば、サブバンドとして、Ｕ６Ｇ帯を使用し、上りリンクを用いたときの、第２ローカル信号の周波数群と、無線周波数（ＲＦ）信号群との配置を、図２１に示す。同図のように、無線周波数（ＲＦ）信号群と、ローカル信号の周波数群とが、重畳しないで、周波数上で分離されている。
さらに、第２帯域フィルタ４６ａは、少なくとも使用する複数チャネルの無線周波数信号に対応する通過帯域幅を有し、第２周波数変換器４５ａから出力される無線周波数（ＲＦ）信号をろ波し、その第２ローカル信号の有する周波数成分を除去するものである。
【０１２１】
図２１に示す第２帯域フィルタ４６ａの通過特性は、中心周波数がマイクロ波帯にあり、３４０ＭＨｚの通過帯域幅を持っている。すなわち、無線周波数（ＲＦ）信号群２８０ＭＨｚ及びその両端の帯域幅ガードスペース３０ＭＨｚを足し合わせたものとなる。これにより、無線周波数（ＲＦ）信号チャネル毎の第２帯域フィルタを用意せずに、１種類の第２帯域フィルタだけで、無線周波数（ＲＦ）信号の各チャネルを一括して通過させることができる。
【０１２２】
高出力増幅器４７ａは、第２帯域フィルタ４６ａから出力される無線周波数（ＲＦ）信号を高効率、低歪みで増幅するものである。
アンテナ４８ａは、各無線送信部５０ａにアンテナ共用器４９ａを介して接続されることにより、高出力増幅器４７ａの出力である、アナログ変調を施された無線周波数（ＲＦ）信号を送出するものである。
【０１２３】
一方、多重無線受信装置５１ｂは、無線伝搬路２９を通ってきた無線周波数（ＲＦ）信号をアナログ復調して、ベースバンド処理を行なった後、ＳＴＭ−１データを出力するもので、図１７に示す受信装置５１ｂは、アンテナ４８ｂ、各チャネルに対応して設けられた複数の無線受信部５０ｂ、アンテナ共用器４９ｂをそなえている。
【０１２４】
ここで、アンテナ４８ｂは、各無線受信部５０ｂにアンテナ共用器４９ｂを介して接続されることにより、無線周波数（ＲＦ）信号を捕らえるものである。すなわち、アンテナ４８ｂは、各無線受信部５０ｂに共通のアンテナとして構成されている。
また、各無線受信部５０ｂは、アンテナ４８ｂで受信された無線周波数（ＲＦ）信号を復調して、ＳＴＭ−１データを出力するもので、低雑音増幅器４７ｂ、第３帯域フィルタ４６ｂ、第３周波数変換器４５ｂ、第４帯域フィルタ４４ｂ、第４周波数変換器４３ｂ、アナログ復調部４２ｂをそなえている。
【０１２５】
低雑音増幅器４７ｂは、アンテナ４８ｂで受信された無線周波数（ＲＦ）信号を、低雑音で増幅するものである。
また、第３帯域フィルタ４６ｂは、少なくとも使用する複数チャネルの無線周波数信号に対応する通過帯域幅を有し、低雑音増幅器４７ｂから出力される無線周波数（ＲＦ）信号をろ波し、イメージ信号の周波数成分を除去するものである。この、第３帯域フィルタ４６ｂの通過特性は、図２１に示すようになる。ここで、受信側の第３ＩＦ信号は、８４４ＭＨｚを使用している。
【０１２６】
第３周波数変換器４５ｂは、第３帯域フィルタ４６ｂから出力される無線周波数（ＲＦ）信号と、第３局部発振器４５ｂ−２の出力における、第３ローカル信号とを、ミキサ４５ｂ−１を用いてダウンコンバートを施すことにより、その無線周波数（ＲＦ）信号の有する周波数よりも第３ローカル信号の有する周波数だけ低い周波数を有する第３ＩＦ信号を出力するものである。
【０１２７】
そして、第４帯域フィルタ４４ｂは、第３周波数変換器４５ｂからの出力のうち、イメージ信号を取り除き、第３ＩＦ信号のみを通過させるものである。図２０（ｂ）のように、第３ＩＦ信号周波数である８４４ＭＨｚのみを通過させて、それより２６ＭＨｚだけ低い周波数（８１８ＭＨｚ）は、通過させていない。
また、第４周波数変換器４３ｂは、第４帯域フィルタ４４ｂから出力される第３ＩＦ信号を、その第３ＩＦ信号の周波数よりも周波数の低い第４ＩＦ信号にダウンコンバートするものであって、第４ローカル周波数を発生する第４ローカル発振器４３ｂ−２の出力信号と、第４フィルタ４４ｂから出力される第３ＩＦ信号とを、ミキサ４３ｂ−１でミキシングするものである。
【０１２８】
さらに、アナログ復調部４２ｂは、第４周波数変換器４３ｂからの出力を、アナログ復調するものであり、図１９に示すように、ハイブリッド部６０ｂ、局部発振器６５ｂ、９０°移相器６６ｂ、ミキサ６４ｂ−１、ミキサ６４ｂ−２、Ａ／Ｄ変換器６３ｂ−１、Ａ／Ｄ変換器６３ｂ−２、積分器６２ｂ−１、積分器６２ｂ−２、逆マッピング部６１ｂをそなえている。
【０１２９】
ハイブリッド部６０ｂは、第４周波数変換器４３ｂからの出力を、分波するものである。
局部発振器６５ｂは、７０ＭＨｚのアナログ発振器で、９０°移相器６６ｂは、局部発振器６５ｂの出力を９０°移相するものである。
ミキサ６４ｂ−１は、ハイブリッド部６０ｂの出力であるＩチャネルデータと、局部発振器６５ｂの出力とを掛け合わせることによって、Ｉチャネルデータをベースバンド帯域に落とすものである。同様に、ミキサ６４ｂ−２は、ハイブリッド部６６ｂの出力であるＱチャネルデータと、９０°移相器６６ｂとの出力とを掛け合わせることによって、Ｑチャネルデータをベースバンド帯域に落とすものである。
【０１３０】
Ａ／Ｄ変換器６３ｂ−１は、ミキサ６４ｂ−１からの第４ＩＦ信号を、アナログ・ディジタル変換するものであり、同様にＡ／Ｄ変換器６３ｂ−２は、ミキサ６４ｂ−２からの第４ＩＦ信号を、アナログ・ディジタル変換するものである。さらに、積分器６２ｂ−１は、Ａ／Ｄ変換器６３ｂ−１の出力の高速にサンプリングされたビット列から、変調速度の速さの復調データのビット位置を抽出するものであり、同様に、積分器６２ｂ−２は、Ａ／Ｄ変換器６３ｂ−２の出力の高速にサンプリングされたビット列から、変調速度の速さの復調データのビット位置を抽出するものである。
【０１３１】
逆マッピング部６１ｂは、積分器６２ｂ−１、積分器６２ｂ−２から出力される振幅値を持ったビットから振幅、位相をデコードして、変調多値数分のビット数づつ生のデータに戻すものである。
さて、無線伝搬路２９を使用して、対向する２箇所の中継局間で、所要のチャネルを使用しての全２重通信が行なわれる。このうち、１種類のチャネルは予備に用いられ、主中継局は、無線信号を、例えば７種類のチャネルの中の１つのダウンリンク送信周波数Ｘで送信し、対向する従中継局は、その送られた送信周波数Ｘの信号を受信する。同時に、従中継局は、アップリンク送信周波数Ｘ′で送信し、対向する主中継局は、送信周波数Ｘ′の信号を受信する。
【０１３２】
すなわち、送信側の帯域フィルタの通過特性と、受信側の帯域フィルタの通過特性とは、８種類のチャネルの中から１つを選択するので、対称となる。
このようにして、第２ＩＦ周波数の値を、例えば８４４ＭＨｚに選択することによって、図２１に示すように無線周波数（ＲＦ）信号帯、ローカル信号帯、イメージ周波数帯の３つの帯域が、重なり合うことない。これから、送信装置側は、ローカル信号帯が分離されるので、無線周波数（ＲＦ）信号群を一括して通過させることができる１種類の帯域フィルタを、用意するだけでよく、多重無線送信装置内の各無線送信部毎、或いは、中継装置間での部材の汎用化を図ることができ、従来のように、多重無線送信装置内の各無線送信部毎、或いは、中継装置間で異なる通過特性を持つ帯域フィルタを個別に用意する必要がない。
【０１３３】
同様に、多重無線受信装置側も、受信装置のフロントエンドで、各無線受信部毎、或いは、中継装置間で使用しているチャネルに対応する通過特性を持ったフィルタを用意する必要がなく、１種類の帯域フィルタだけでよく、多重無線受信装置内の各無線受信部毎、或いは、中継装置間での部材の汎用化を図ることが出来る。
【０１３４】
このようにして、本実施形態では、送信側が、アナログ変調して、第１周波数変換を行なった後、更に、例えば、第２ＩＦを、上記第１実施形態で得られた８４４ＭＨｚの最適第２ＩＦに変換し、且つ受信側も、第３ＩＦを、上記第１実施形態で得られた８４４ＭＨｚの最適第３ＩＦに変換し、第４周波数変換を行なったのち、アナログ復調して、任意の第２中間周波数値、若しくは第３中間周波数値を設定することが可能となる。また実用上、無線周波数（ＲＦ）信号帯にイメージ周波数が入ってこない。
【０１３５】
そして、第２ＩＦ周波数及び第３ＩＦ周波数Ｆ１の高調波の、４・Ｆ１、５・Ｆ１、６・Ｆ１、７・Ｆ１がＣバンド内の既存バンドと交錯しない。
さらに、送信無線周波数（ＲＦ）信号帯、ローカル周波数チャネル帯、イメージ周波数帯の３つの帯域が、重なりあうことなく分離され、同様に、受信側にしても帯域が分離されているようになる。
【０１３６】
また、これによって、多重無線送信装置は、複数の無線周波数（ＲＦ）信号群を通過域に持つ帯域フィルタを１種類用意するだけでよく、無線周波数（ＲＦ）チャネル毎にフィルタリングをする必要がなく、各無線送信部毎、或いは、中継装置間で別々の通過特性を持つ帯域フィルタを用意する必要がない。
同様に、多重無線受信装置も、複数の無線周波数（ＲＦ）信号群を通過域に持つ帯域フィルタを１種類用意するだけでよく、無線周波数（ＲＦ）チャネル毎にフィルタリングをする必要がなく、多重無線受信装置内の無線受信部毎、或いは、中継装置間で別々の通過特性を持つ帯域フィルタを用意する必要がない。
【０１３７】
すなわち、従来は、多重無線送信装置内の無線送信部毎、多重無線受信装置内の無線受信部毎、或いは、中継装置間で異なったフィルタ特性を有する帯域フィルタを必要としたが、本実施形態では、異なったチャネルを割当てられても、多重無線送信装置内の無線送信部毎、多重無線受信装置内の無線受信部毎、或いは、他の中継装置間と共通仕様の帯域フィルタを用いることができるので、部材の汎用化を促進することができ、この点から、低コスト化を図れるのである。
【０１３８】
（Ｂ１）第２実施形態の変形例
なお、上記の第２実施形態では、無線送信側中継局は、無線受信装置を持っておらず、また、無線受信側中継局も無線送信装置を持っていない。しかし、双方の局とも、無線送信装置と無線受信装置の両方をそなえて構成できる。
すなわち、この場合は、図２２に示すような構成であって、図１６に示すベースバンド変復調部を、ディジタル方式から、アナログ方式にしたものである。この図２２に示す、各局とも無線送受信装置をそなえたアナログ変調方式の幹線系多重無線送受信システム２５は、同期多重化中継装置間、又は同期多重化中継装置と伝送端局装置との間で、幹線系の多重化された信号データ（ＳＴＭ−１）を中継するものであり、多重無線送受信装置７１ａ、多重無線送受信装置７１ｂ、無線伝搬路２９をそなえて構成されている。
【０１３９】
すなわち、多重無線送受信装置７１ａ及び、多重無線送受信装置７１ｂは、それぞれ複数のチャネルに対応した複数の無線送信部５０ａと複数のチャネルに対応した複数の無線受信部５０ｂの両方を持ち、対向して配置されている。更に、このシステムは、周波数変換部を８個そなえている。
ここで、多重無線送受信装置７１ａは、他の同期多重化中継装置や伝送端局装置から送られてくる幹線系の多重化された信号データ（ＳＴＭ−１）を、ベースバンド処理を行なってから、周波数の異なる複数のチャネルを使用して、各無線送信部５０ａでアナログ変調して、例えば、Ｃバンド帯のような無線回線上に送出し、更に、同時に、別の対向する多重無線送受信装置７１ｂの各無線送信部５０ａによってアナログ変調されて送信された、同バンド帯の別の周波数を用いた無線信号を、その各無線受信部５０ｂで受信し、アナログ復調した後、ベースバンド処理を行なってから、ＳＴＭ−１データを他の同期多重化中継装置や伝送端局装置に再送出するものである。この多重無線送受信装置７１ａは、複数の無線送信部５０ａ、複数の無線受信部５０ｂ、アンテナ４８ａ、アンテナ共用器４９ａをそなえて構成されている。
【０１４０】
ここで、多重無線送受信装置７１ａの各無線送信部５０ａは、他の同期多重化中継装置や伝送端局装置から送られてくる、幹線系の多重化された信号データ（ＳＴＭ−１）をベースバンド処理してから、アナログ変調部４２ａでアナログ変調する。そして、その出力における第１ＩＦ信号信号を、第１周波数変換器４３ａで第２ＩＦ信号にアップコンバートし、第１帯域フィルタ４４ａでろ波したのち、さらに第２周波数変換器４５ａで無線周波数（ＲＦ）信号にアップコンバートし、第２帯域フィルタ４６ａ、高出力増幅器４７ａ、アンテナ共用器４９ａを介して、アンテナ４８ａから、無線回線上に送出する。
【０１４１】
また、多重無線送受信装置７１ａの各無線受信部５０ｂは、上記の、同バンド帯で対向して配置された、多重無線送受信装置７１ｂの各無線送信部５０ａより送出された、多重無線送受信装置７１ａの各送信周波数とは異なる周波数の無線信号をアンテナ４８ａで受信する。そして、アンテナ共用器４９ａ、低雑音増幅器４７ｂを経由して、その信号を第７帯域フィルタ４６ｂに通して、そのイメージ信号を除去した出力を第７周波数変換器４５ｂを用いて、第７ＩＦ信号にダウンコンバートして、さらにその出力を第８帯域フィルタ４４ｂに通し、再びその出力を第８周波数変換器４３ｂで第８ＩＦ信号にダウンコンバートし、その出力をアナログ復調部４２ｂでアナログ復調し、ベースバンド処理を行なって、ＳＴＭ−１データを他の同期多重化中継装置や伝送端局装置に送出する。
【０１４２】
また、同様に、対向して配置されている多重無線送受信装置７１ｂは、対向する多重無線送受信装置７１ａの各無線送信部５０ａによってアナログ変調され、送信された各無線信号を、その各無線受信部５０ｂで受信し、アナログ復調した後、その各信号を他の同期多重化中継装置や伝送端局装置に再送出し、更に、同時に、他の同期多重化中継装置や伝送端局装置から送られてくる幹線系の多重化された信号データ（ＳＴＭ−１）を、ベースバンド処理を行なった後、周波数の異なる複数のチャネルを使用して、各無線送信部５０ａでアナログ変調して、無線回線上に送出するものである。この多重無線送受信装置７１ｂも同様に、複数の無線送信部５０ａ、複数の無線受信部５０ｂ、アンテナ４８ｂ、アンテナ共用器４９ｂをそなえて構成されている。
【０１４３】
ここで、多重無線送受信装置７１ｂの各無線受信部５０ｂは、多重無線送受信装置７１ａの各無線受信部５０ｂと同様であるが、上記の、対向して配置された、多重無線送受信装置７１ａの各無線送信部５０ａより送出された、多重無線送受信装置７１ｂの送信周波数とは異なる周波数の各無線信号をアンテナ４８ｂで受信する。そして、その信号を、アンテナ共用器４９ｂ、低雑音増幅器４７ｂを経由して、第３帯域フィルタ４６ｂに通して、そのイメージ信号を除去した出力を第３周波数変換器４５ｂを用いて、第３ＩＦ信号にダウンコンバートして、さらにその出力を第４帯域フィルタ４４ｂに通し、再びその出力を第４周波数変換器４３ｂで第４ＩＦ信号にダウンコンバートし、その出力をアナログ復調部４２ｂでアナログ復調し、ベースバンド処理を行なってから、ＳＴＭ−１データを他の同期多重化中継装置や伝送端局装置に送出する。
【０１４４】
また、多重無線送受信装置７１ｂの各無線送信部５０ａも、多重無線送受信装置７１ａの各無線送信部５０ａと同様であるが、他の同期多重化中継装置や伝送端局装置から送られてくる、幹線系の多重化された信号データ（ＳＴＭ−１）を、ベースバンド処理を行なってから、周波数の異なる複数のチャネルを使用して、アナログ変調部４２ａでアナログ変調する。そして、その出力における第５ＩＦ信号を、第５周波数変換器４３ａで第６ＩＦ信号にアップコンバートし、第５帯域フィルタ４４ａでろ波したのち、さらに第６周波数変換器４５ａで無線周波数（ＲＦ）信号にアップコンバートし、第６帯域フィルタ４６ａ、高出力増幅器４７ａ、アンテナ共用器４９ｂを介して、アンテナ４８ｂから、Ｃバンド帯で無線回線上に送出する。
【０１４５】
なお、図２２において、上記、第１実施形態、第１実施形態の変形例、第２実施形態において使用された符号と同じ符号を持つ部材は、同様なもの、あるいは同様の機能を有するものであるので、更なる説明は省略する。
ここで、無線送信側の第２ローカル信号と、対向する無線送信側の第６ローカル信号は異なる周波数であり、かつ、その周波数の選択方法は、上記第１実施形態と同様に、Ｃバンド内の他のサブバンドに接触しないようになされている。また、無線受信側の第３ローカル信号と、対向する無線送信側の第７ローカル信号は異なる周波数であり、かつ、その周波数の選択方法は、上記第１実施形態と同様に、Ｃバンド内の他のサブバンドに接触しないようになされている。
【０１４６】
このようにして本実施形態は、ベースバンド信号をアナログ変復調する方式であって、同期多重化中継装置間や、伝送端局装置と同期多重化中継装置間での、幹線系の多重化された信号データ（ＳＴＭ−１）を、双方向に送受信可能とすることができる。
すなわち、一方の多重無線送受信装置７１ａが、幹線系の多重化された信号データ（ＳＴＭ−１）を取り込んだ後に、各無線送信部５０ａで、ベースバンド処理を行なってアナログ変調し、第１周波数変換器で第２ＩＦ信号にアップコンバートし、さらに第２周波数変換器で無線周波数（ＲＦ）信号にアップコンバートして送出する。そして、その各送信信号は、他方の多重無線送受信装置７１ｂの各無線受信部５０ｂで受信され、第３周波数変換器で第３ＩＦ信号にダウンコンバートされ、さらに第４周波数変換器で第４ＩＦ信号にダウンコンバートされた後、アナログ復調され、ベースバンド処理を行なってから、他の同期多重化中継装置や伝送端局装置に送出される。
【０１４７】
また、多重無線送受信装置７１ｂは、幹線系の多重化された信号データ（ＳＴＭ−１）を取り込んだ後に、各無線送信部５０ａで、ベースバンド処理を行なってアナログ変調し、第５周波数変換器で第６ＩＦ信号にアップコンバートし、さらに第６周波数変換器で無線周波数（ＲＦ）信号にアップコンバートして送出する。そして、その各送信信号は、他方の多重無線送受信装置７１ａの各無線受信部５０ｂで受信され、第７周波数変換器で第７ＩＦ信号にダウンコンバートされ、さらに第８周波数変換器で第８ＩＦ信号にダウンコンバートされた後、アナログ復調され、ベースバンド処理を行なって、幹線系の多重化された信号データ（ＳＴＭ−１）を取り出して、他の同期多重化中継装置や伝送端局装置に送出される。
【０１４８】
このようにして、双方向に伝送することによって、幹線系の多重化された信号データの伝送効率を、大幅に高めることができる。
また、任意の第２中間周波数値及び第３中間周波数値を設定することが可能となり、無線周波数（ＲＦ）信号群にイメージ周波数が入ってこない。
さらに、第２ＩＦ周波数の値及び第３ＩＦ周波数の値を、上記第１実施例で選択した値を用いることによって、Ｆ１の高調波である４・Ｆ１、５・Ｆ１、６・Ｆ１、７・Ｆ１がＣバンド内の既存バンドと交錯しない。
【０１４９】
その上、第２ＩＦ周波数の値及び第３ＩＦ周波数の値を、上記第１実施例で選択した値を用いることによって、送信無線周波数（ＲＦ）信号帯、ローカル周波数チャネル帯、イメージ周波数帯の３つの帯域が、重なりあうことなく分離される。
また、これによって、対向して配置される２つの多重無線送受信装置は、各送信装置に着目すると、それぞれ、複数の無線周波数（ＲＦ）信号群を通過域に持つ送信用帯域フィルタを１種類用意するだけでよく、無線周波数（ＲＦ）チャネル毎に送信フィルタリングをする必要がない。
【０１５０】
一方、各受信装置に着目すると、それぞれ、複数の無線周波数（ＲＦ）信号群を通過域に持つ受信用帯域フィルタを１種類用意するだけでよく、無線周波数（ＲＦ）チャネル毎に受信フィルタリングをする必要がない。
すなわち、従来は、多重無線送受信装置内の各無線送信部毎、各無線受信部毎、或いは、中継装置間で異なったフィルタ特性を有する帯域フィルタを必要としたが、本実施形態の変形例では、異なったチャネルを割当てられても、他の多重無線送受信装置内の各無線送信部毎、各無線受信部毎、或いは、中継装置間で共通仕様の帯域フィルタを用いることができるので、部材の汎用化を促進することができ、この点から、低コスト化を図れるのである。
【０１５１】
（Ｃ）その他
なお、上記第１実施形態、第１実施形態の変形例、第２実施形態、第２実施形態の変形例での、最適第２中間周波数の値は、８４４ＭＨｚに限定されるものではなく、上記（２０）、（２１）のような範囲の値を使用することができるのは言うまでもない。また、この値の決定に際し、参照された他の値は、これに限定されるものではなく、また、使用バンドもＣバンドに限定するものではない。
【０１５２】
さらに、本発明は、その趣旨を逸脱しない範囲で、種々変形して実施することができることはいうまでもない。
【０１５３】
【発明の効果】
以上詳述したように、本発明の多重無線送信装置によれば、周波数の異なる複数のチャネル信号を多重化して伝送する多重無線送信装置において、各チャネル対応に設けられた複数の送信部を有し、該送信部が、データ信号を変調した信号として得られる第１中間周波信号を出力する変調部と、該変調部からの出力を第１ローカル信号を用いて周波数変換を施すことにより、該第１中間周波信号の有する周波数よりも該第１ローカル信号の有する周波数だけ高い周波数を有する第２中間周波信号を出力する第１周波数変換部と、該第１周波数変換部から出力される該第２中間周波信号について該第１ローカル信号の有する周波数成分を除去する第１フィルタと、該第１フィルタからの出力を第２ローカル信号を用いて周波数変換を施すことにより、該第２中間周波信号の有する周波数よりも該第２ローカル信号の有する周波数だけ高い周波数を有する無線周波数信号を出力する第２周波数変換部と、少なくとも使用する複数チャネルの無線周波数信号に対応する通過帯域幅を有し、該第２周波数変換部から出力される該無線周波数信号をろ波するとともに該第２ローカル信号の有する周波数成分を除去する第２フィルタとをそなえて構成されているので、ベースバンド信号をいったん、第２中間周波数に変換し、かつ、この第２中間周波数を最適に選択することで、マイクロ波帯の送信無線信号群とローカル周波数信号群とが重畳しないような配置構成を実現することができ、これにより、無線周波数（ＲＦ）信号群を一括して通過させることができる１種類の、広帯域な通過特性を持つ、帯域フィルタを用意するだけでよく、スプリアスを出さなくてすみ、従来のように、多重無線送信装置内の送信部毎、或いは、中継装置間で異なるチャネルを使用して、異なる通過特性を持つ帯域フィルタを個別に用意する必要がなく、さらに、例えば、Ｃバンド内（３．４ＧＨｚ〜８．５ＧＨｚ）のサブバンドのすべてに共通な第２中間周波数が使用できることにより、多重無線送信装置に使用されている部材の汎用化ができて、多重無線送信装置を安価に生産することができる利点がある。
【０１５４】
また、この多重無線送信装置の中の変調部は、ディジタルデータ信号をディジタル変調したあとにディジタル／アナログ変換することにより、該第１中間周波信号を出力するように構成することができ、このようにすれば、周波数効率のよいディジタル変調方式を用いて信号伝送ができる利点がある。
さらに、この多重無線送信装置の中の変調部は、ディジタルデータ信号をディジタル／アナログ変換したあとに、アナログ変調することにより、該第１中間周波信号を出力するように構成することができ、このようにすれば、自由に第１中間周波信号の値を設定できる利点がある。
【０１５５】
そして、この第２中間周波信号は、その高調波成分が該無線周波数信号に重畳されないような周波数を有する信号として構成することができ、このようにすれば、イメージ周波数信号群のうち、高調波成分が、例えば、Ｃバンド内のサブバンド帯域にあるチャネル群に衝突することが実用上回避され、各チャネルでのＳ／Ｎ比を改善できるという利点がある。
【０１５６】
また、この第２中間周波信号は、少なくともその６次高調波成分以下の次数を有する高調波成分が、該無線周波数信号に重畳されないような周波数を有する信号として構成することができ、このようにすれば、イメージ周波数信号群のうち、６次以下のものが、例えば、Ｃバンド（３．４ＧＨｚ〜８．５ＧＨｚ）内のサブバンド帯域にあるチャネル群に衝突することが実用上回避され、各チャネルでのＳ／Ｎ比を改善できるという利点がある。
【０１５７】
ここで、該第２周波数変換部は、該第１フィルタからの出力を複数チャネルに対応する複数の周波数のうちのいずれかの周波数を有する該第２ローカル信号を用いて周波数変換を施すことにより、該無線周波数信号を出力するように構成することができ、このようにすれば、無線周波数（ＲＦ）信号帯、第２ローカル信号帯、イメージ周波数帯の３つの帯域が、重なりあうことなく分離できるので、多重無線送信装置内の送信部毎、或いは、中継装置間で別々の通過特性を持つ帯域フィルタを用いずとも、１種類の帯域フィルタだけで済むという利点がある。
【０１５８】
また、本発明の無線送信装置は、周波数の異なる複数のチャネル信号を多重化して伝送する多重無線送信装置において、各チャネル対応に設けられた複数の送信部を有し、該送信部が、ディジタルデータ信号をディジタル変調したあとディジタル／アナログ変換することにより得られる第１中間周波信号を出力するディジタル変調部と、該ディジタル変調部からの出力を第１ローカル信号を用いて周波数変換を施すことにより、該第１中間周波信号の有する周波数よりも該第１ローカル信号の有する周波数だけ高い周波数を有し且つ少なくともその６次高調波成分以下の次数を有する高調波成分が送信信号としての少なくとも４ＧＨｚ帯以上の無線周波数信号に重畳されないような周波数を有する第２中間周波信号を出力する第１周波数変換部と、該第１周波数変換部から出力される該第２中間周波信号について該第１ローカル信号の有する周波数成分を除去する第１フィルタと、該第１フィルタからの出力を複数チャネルに対応する複数の周波数のうちのいずれかの周波数を有する第２ローカル信号を用いて周波数変換を施すことにより、該第２中間周波信号の有する周波数よりも該第２ローカル信号の有する周波数だけ高い上記無線周波数信号を出力する第２周波数変換部と、少なくとも使用する複数チャネルの無線周波数信号に対応する通過帯域幅を有し、該第２周波数変換部から出力される該無線周波数信号をろ波するとともに該第２ローカル信号の有する周波数成分を除去する第２フィルタとをそなえて構成されているので、無線周波数（ＲＦ）信号群を一括して通過させることができる１種類の、広帯域な通過特性を持つ、帯域フィルタを用意するだけでよく、スプリアスを出さなくてすみ、従来のように、多重無線送信装置内の送信部毎、或いは、中継装置間で異なるチャネルを使用して、異なる通過特性を持つ帯域フィルタを個別に用意する必要がなく、さらに、イメージ周波数信号群のうち、６次以下のものが、Ｃバンド（３．４ＧＨｚ〜８．５ＧＨｚ）内のサブバンド帯域にあるチャネル群に衝突することが実用上回避され、各チャネルでのＳ／Ｎ比を改善できるという利点がある。
【０１５９】
ここで、上記の第２中間周波信号の周波数は、８４２．００ＭＨｚと８４５．０２ＭＨｚの間の所要の周波数に設定しても、８４４ＭＨｚの周波数に設定しても、或いは、９６７．１ＭＨｚの周波数に設定してもよく、また、この値は自由に設定することができるので無線回線設計上で有利となる利点がある。さらに、この値を用いることにより、イメージ周波数信号群のうち、６次以下のものが、Ｃバンド（３．４ＧＨｚ〜８．５ＧＨｚ）内のサブバンド帯域にあるチャネル群に衝突せず、また、その他のイメージ周波数信号群が与える影響は、実用上小さいので、各チャネルでのＳ／Ｎ比を改善できるという利点がある。
【０１６１】
一方、本発明の多重無線受信装置は、データ信号を変調した信号として得られる第１中間周波信号を上記の第１中間周波信号と無線周波数信号との中間の周波数を有する第２中間周波信号に周波数変換したのちこの第２中間周波信号を該無線周波数信号に周波数変換する複数の送信部を周波数の異なる複数のチャネル信号に対応して有する対向側の多重無線送信装置からの該無線周波数信号を無線伝送路を介して受信するために、上記の各チャネルに対応して設けられた複数の受信部を有し、該受信部が、少なくとも使用する複数チャネルの無線周波数に対応する通過帯域幅を有し、受信された該無線周波数信号をろ波するとともに該無線周波数信号のイメージ信号の周波数成分を除去する第３フィルタと、該第３フィルタからの出力を第３ローカル信号を用いて周波数変換を施すことにより、該無線周波数信号の有する周波数よりも該第３ローカル信号の有する周波数だけ低い周波数を有する第３中間周波信号を出力する第３周波数変換部と、該第３周波数変換部からの出力を第４ローカル信号を用いて周波数変換を施すことにより、該第３中間周波信号の有する周波数よりも該第４ローカル信号の有する周波数だけ低い周波数を有する第４中間周波信号を出力する第４周波数変換部と、該第４周波数変換部からの出力について復調処理を施すことにより該データ信号を復調する復調部とをそなえて構成されているので、受信無線周波数（ＲＦ）信号帯、第３ローカル信号帯、イメージ周波数帯の３つの帯域が、重なりあうことなく分離できて、受信無線周波数（ＲＦ）信号帯のみ用の帯域フィルタを１種類用意するだけでよく、受信無線周波数（ＲＦ）チャネル毎にフィルタリングをする必要がない利点がある。また、多重無線受信装置内の受信部毎、或いは、中継装置間で異なる値の通過特性を持つ、帯域フィルタを用意しなくて済むので、部材の汎用化をすることができ、低コスト化を図れる利点がある。
【０１６２】
また、上記の多重無線送信装置における送信部が、ディジタルデータ信号をディジタル変調したあとにディジタル／アナログ変換することにより、該第１中間周波信号を生成するように構成されるとともに、対向する多重無線受信装置の復調部が、該第４周波数変換部からの出力についてアナログ／ディジタル変換したあとにディジタル復調することにより、該データ信号を復調するように構成してもよく、このようにすれば、ベースバンド信号をディジタル的に変復調する多重無線送受信装置を用いて、対向通信ができ、さらに、伝送速度を上げることができる利点がある。
【０１６３】
さらに、上記の多重無線送信装置における送信部が、ディジタルデータ信号をディジタル／アナログ変換したあとにアナログ変調することにより、該第１中間周波信号を生成するように構成されるとともに、対向する多重無線受信装置の復調部が、該第４周波数変換部からのアナログ出力についてアナログ復調したあとに、アナログ／ディジタル変換することにより、該ディジタルデータ信号を得るように構成してもよく、このようにすれば、ベースバンド信号をアナログ的に変復調する多重無線送受信装置を用いて、対向通信ができ、第１中間周波信号（又は第５中間周波信号）を自由に設定できる利点がある。
【０１６４】
また、上記の多重無線送信装置における送信部が、該第１フィルタからの出力を複数チャネルに対応する複数の周波数のうちのいずれかの周波数を有する該第２ローカル信号を用いて周波数変換を施すことにより、該無線周波数信号を出力するように構成されるとともに、対向する多重無線受信装置の第３周波数変換部が、該第３フィルタからの出力を複数チャネルに対応する複数の周波数のうちのいずれかの周波数を有する該第３ローカル信号を用いて周波数変換を施すことにより、該第３中間周波信号を出力するように構成することができ、このようにすれば、送信装置の送信帯域フィルタの通過特性と、受信装置の受信帯域フィルタの通過特性とを、同じにすることができるので、多重無線送信装置内の送信部毎、多重無線受信装置内の受信部毎、或いは、中継装置間で同一の帯域フィルタを用意すればよく、部材を汎用化でき、低コスト化が促進される利点がある。
【０１６６】
さらに、本発明の多重無線送受信装置は、周波数の異なる複数のチャネル信号を多重化して伝送するために、各チャネル対応に複数の送信部を有し、該送信部が、データ信号を変調した信号として得られる第１中間周波信号を出力する変調部と、該変調部からの出力を第１ローカル信号を用いて周波数変換を施すことにより該第１中間周波信号の有する周波数よりも該第１ローカル信号の有する周波数だけ高い周波数を有する第２中間周波信号を出力する第１周波数変換部と、該第１周波数変換部から出力される該第２中間周波信号について該第１ローカル信号の有する周波数成分を除去する第１フィルタと、該第１フィルタからの出力を第２ローカル信号を用いて周波数変換を施すことにより、該第２中間周波信号の有する周波数よりも該第２ローカル信号の有する周波数だけ高い周波数を有する無線周波数信号を出力する第２周波数変換部と、少なくとも使用する複数チャネルの無線周波数信号に対応する通過帯域幅を有し、該第２周波数変換部から出力される該無線周波数信号をろ波し該第２ローカル信号の有する周波数成分を除去する第２フィルタとを有する多重無線送信装置をそなえるとともに、対向して配置されて周波数の異なる複数のチャネル信号を多重化して伝送するために各チャネル対応に複数の送信部を有する対向多重無線送信装置内の該送信部におけるデータ信号を変調した信号として得られる第１対向中間周波信号を、該第１対向中間周波信号と該対向多重無線送信装置から送信される対向無線周波数信号との中間の周波数を有する第２対向中間周波信号に周波数変換したのち、この第２対向中間周波信号を該対向無線周波数信号に周波数変換する該対向多重無線送信装置からの該対向無線周波数信号を無線伝送路を介して受信するために、該対向多重無線送信装置で使用される上記の各チャネルに対応して設けられた複数の受信部を有し、該受信部が、少なくとも使用する複数チャネルの対向無線周波数信号に対応する通過帯域幅を有し、受信された該対向無線周波数信号をろ波するとともに該対向無線周波数信号のイメージ信号の周波数成分を除去する第４フィルタと、該第４フィルタからの出力を第５ローカル信号を用いて周波数変換を施すことにより、該対向無線周波数信号の有する周波数よりも該第５ローカル信号の有する周波数だけ低い周波数を有する第５中間周波信号を出力する第５周波数変換部と、該第５周波数変換部からの出力を第６ローカル信号を用いて周波数変換を施すことにより、該第５中間周波信号の有する周波数よりも該第６ローカル信号の有する周波数だけ低い周波数を有する第６中間周波信号を出力する第６周波数変換部と、該第６周波数変換部からの出力について復調処理を施すことにより該データ信号を復調する復調部とを有する多重無線受信装置をそなえて構成されているので、両方向の同時送受信が可能となり、送信装置側は、無線周波数（ＲＦ）チャネル毎の送信帯域フィルタを用いずに、１種類の送信帯域フィルタのみで済み、また、受信装置側も、無線周波数（ＲＦ）チャネル毎の受信帯域フィルタを用いずに、送信装置が持つ送信帯域フィルタと同じ通過特性を持つ受信帯域フィルタを用意するだけで済むので、多重無線送受信装置内の送信部毎、受信部毎、或いは、中継装置間において、部材の汎用化を図ることができ、低コスト化が促進され、無線送受信装置を安価に生産することができる利点がある。
【０１６７】
さらに、本発明の多重無線送受信システムは、周波数の異なる複数のチャネル信号を多重化して伝送するために、各チャネル対応に設けられた複数の送信部を有し、該送信部が、データ信号を変調した信号として得られる第１中間周波信号を出力する変調部と、該変調部からの出力を第１ローカル信号を用いて周波数変換を施すことにより該第１中間周波信号の有する周波数よりも該第１ローカル信号の有する周波数だけ高い周波数を有する第２中間周波信号を出力する第１周波数変換部と、該第１周波数変換部から出力される該第２中間周波信号について該第１ローカル信号の有する周波数成分を除去する第１フィルタと、該第１フィルタからの出力を第２ローカル信号を用いて周波数変換を施すことにより、該第２中間周波信号の有する周波数よりも該第２ローカル信号の有する周波数だけ高い周波数を有する無線周波数信号を出力する第２周波数変換部と、少なくとも使用する複数チャネルの無線周波数信号に対応する通過帯域幅を有し、該第２周波数変換部から出力される該無線周波数信号をろ波し該第２ローカル信号の有する周波数成分を除去する第２フィルタとを有する多重無線送信装置をそなえるとともに、該多重無線送信装置における上記複数の該送信部からの該無線周波数信号を無線伝送路を介して受信するために、上記各チャネル対応に設けられた複数の受信部を有し、該受信部が、少なくとも使用する複数チャネルの無線周波数信号に対応する通過帯域幅を有し、受信された該無線周波数信号をろ波し該無線周波数信号のイメージ信号の周波数成分を除去する第３フィルタと、該第３フィルタからの出力を第３ローカル信号を用いて周波数変換を施すことにより、該無線周波数信号の有する周波数よりも該第３ローカル信号の有する周波数だけ低い周波数を有する第３中間周波信号として出力する第３周波数変換部と、該第３周波数変換部からの出力を第４ローカル信号を用いて周波数変換を施すことにより、該第３中間周波信号の有する周波数よりも該第４ローカル信号の有する周波数だけ低い周波数を有する第４中間周波信号として出力する第４周波数変換部と、該第４周波数変換部からの出力について復調処理を施すことにより該データ信号を復調する復調部とを有する多重無線受信装置をそなえて構成されているので、両方向の同時送受信が可能となり、送信装置側は、無線周波数（ＲＦ）チャネル毎の送信帯域フィルタを用いずに、１種類の送信帯域フィルタのみで済み、また、受信装置側も、無線周波数（ＲＦ）チャネル毎の受信帯域フィルタを用いずに、送信装置が持つ送信帯域フィルタと同じ通過特性を持つ受信帯域フィルタを用意するだけで済むので、多重無線送受信装置内の送信部毎、受信部毎、或いは、各中継装置間において、部材の汎用化を図られ、低コスト化が促進され、安価に多重無線送受信装置を生産することができる利点があり、且つ、第２中間周波数の高調波が、例えば、Ｃバンド内の他のサブバンド帯にある信号に衝突しないので、Ｓ／Ｎ比を改善できる利点がある。その上、発生するイメージ信号のスプリアスが主信号に重畳するのを回避できる利点もある。
【図面の簡単な説明】
【図１】本発明の第１実施形態にかかるディジタル変調方式を用いた幹線系多重無線送受信システムの構成図である。
【図２】本発明の第１実施形態にかかるディジタル変調部を示すブロック図である。
【図３】（ａ）は本発明の第１実施形態にかかる送信側のディジタル変調部出力のスペクトラムを示す図であり、（ｂ）は本発明の第１実施形態にかかる送信側の第１帯域フィルタ、又は受信側の第４帯域フィルタの通過特性を示す図である。
【図４】本発明の第１実施形態にかかる、無線周波数（ＲＦ）信号群とローカル信号群との周波数上での配置及び、送信側の第２帯域フィルタ、若しくは受信側の第３帯域フィルタの通過特性を示す図である。
【図５】本発明の第１実施形態にかかるディジタル復調部を示すブロック図である。
【図６】本発明の第１実施形態にかかるイメージ周波数が生成される周波数変換部を示す図である。
【図７】本発明の第１実施形態にかかるイメージ周波数を、直線（ｆ／Ｆ２）＝ｍ・（Ｆ１／Ｆ２）＋ｎにマッピングすることで、視覚的に明らかにした図である。
【図８】本発明の第１実施形態にかかる、図７の要部を拡大した図であって、送信無線周波数（ＲＦ）信号にイメージ周波数が衝突する状況を示す図である。
【図９】本発明の第１実施形態にかかる、Ｐ１の高調波とＣバンド内のサブバンド帯とが、交錯しないように直線を描いた図である。
【図１０】一般的なＩＴＵ−Ｒ勧告による４Ｇ帯の（上り／下り）チャネルのチャネル番号と周波数の対応及びその他の諸元を示す図である。
【図１１】一般的なＩＴＵ−Ｒ勧告による５Ｇ帯の（上り／下り）チャネルのチャネル番号と周波数の対応及びその他の諸元を示す図である。
【図１２】一般的なＩＴＵ−Ｒ勧告によるＬ６Ｇ帯の（上り／下り）チャネルのチャネル番号と周波数の対応及びその他の諸元を示す図である。
【図１３】一般的なＩＴＵ−Ｒ勧告によるＵ６Ｇ帯の（上り／下り）チャネルのチャネル番号と周波数の対応及びその他の諸元を示す図である。
【図１４】一般的なＩＴＵ−Ｒ勧告による７Ｇ帯の（上り／下り）チャネルのチャネル番号と周波数の対応及びその他の諸元を示す図である。
【図１５】一般的なＩＴＵ−Ｒ勧告によるＬ８Ｇ帯の（上り／下り）チャネルのチャネル番号と周波数の対応及びその他の諸元を示す図である。
【図１６】本発明の第１実施形態の変形例にかかる変復調方式にディジタル方式を用いた幹線系多重無線送受信システムを表す全体構成図である。
【図１７】本発明の第２実施形態にかかるアナログ変調方式を用いた幹線系多重無線送受信システムを表す全体構成図である。
【図１８】本発明の第２実施形態にかかるアナログ変調部を示すブロック図である。
【図１９】本発明の第２実施形態にかかるアナログ復調部を示すブロック図である。
【図２０】（ａ）は、本発明の第２実施形態にかかる送信側のアナログ変調部出力のスペクトラムを示す図であり、（ｂ）は、本発明の第２実施形態にかかる、送信側の第１帯域フィルタ、又は受信側の第４帯域フィルタの通過特性を示す図である。
【図２１】本発明の第２実施形態にかかる、無線周波数（ＲＦ）信号群とローカル信号群との周波数上での配置及び、送信側の第２帯域フィルタ、若しくは受信側の第３帯域フィルタの通過特性を示す図である。
【図２２】本発明の第２実施形態の変形例にかかる、変復調方式にアナログ方式を用いた幹線系多重無線送受信システムの構成図である。
【図２３】一般的な多重無線送信装置の送信部の要部を示す構成図である。
【図２４】一般的な多重無線送信装置の無線周波数（ＲＦ）信号群と、ローカル信号群との周波数上での配置図である。
【図２５】一般的な多重無線送信装置の無線周波数（ＲＦ）チャネル群と、各チャネル毎に帯域フィルタを設置した図又は、一般的な多重無線受信装置の無線周波数（ＲＦ）チャネル群と各チャネル毎に帯域フィルタを設置した図である。
【符号の説明】
２ａ，２ｂ    ディジタル変調部
３ａ    第１周波数変換器（第１周波数変換部）
３ｂ    第４周波数変換器（第４周波数変換部）
３ａ−１，３ｂ−１    ミキサ
３ａ−２    第１局部発振器
３ｂ−２    第４局部発振器
４ａ    第１帯域フィルタ
４ｂ    第４帯域フィルタ
５ａ    第２周波数変換器（第２周波数変換部）
５ｂ    第３周波数変換器（第３周波数変換部）
５ａ−１，５ｂ−１    ミキサ
５ａ−２    第２局部発振器
５ｂ−２    第３局部発振器
６ａ    第２帯域フィルタ
６ｂ    第３帯域フィルタ
７ａ    高出力増幅器
７ｂ    低雑音増幅器
８ａ，８ｂ    アンテナ
９ａ，９ｂ    アンテナ共用器
１０ａ    無線送信部
１０ｂ    無線受信部
１１ａ    ハイブリッド部
１２ａ    マッピング部
１２ｂ    逆マッピング部
１３ａ−１，１３ａ−２    ロールオフフィルタ
１３ｂ−１，１３ｂ−２    積分器
１４ａ    直交変調部
１４ｂ    直交検波部
１５ａ−１，１５ａ−２，１５ｂ−１，１５ｂ−２    ミキサ
１６ａ，１６ｂ    直交キャリア発生器
１７ａ    加算器
１７ｂ    ハイブリッド部
１８ａ    Ｄ／Ａ変換器
１８ｂ    Ａ／Ｄ変換器
２０ａ    多重無線送信装置
２０ｂ    多重無線受信装置
２１ａ，２１ｂ    無線送受信装置
２２，２３    ディジタル変調方式の幹線系多重多重無線送受信システム
２４，２５    アナログ変調方式の幹線系多重無線送受信システム
２９    無線伝搬路
３１    送信部
３２ａ    ミキサ
３２ｂ    ９０°移相器
３２ｃ    局部発振器
３２ｄ    ハイブリッド部
３３    Ｄ／Ａ変換器
３４    周波数変換器
３４ａ    ミキサ
３４ｂ    局部発振器
３５    帯域フィルタ
３６    アンテナ
３７    アンテナ共用器
３８    多重無線送信装置
４２ａ    アナログ変調部
４２ｂ    アナログ復調部
４３ａ    第１周波数変換器（又は第５周波数変換器）
４３ｂ    第４周波数変換器（又は第８周波数変換器）
４３ａ−１，４３ｂ−１    ミキサ
４３ａ−２    第１局部発振器
４３ｂ−２    第４局部発振器
４４ａ    第１帯域フィルタ（又は第５帯域フィルタ）
４４ｂ    第４帯域フィルタ（又は第８帯域フィルタ）
４５ａ    第２周波数変換器（又は第６周波数変換器）
４５ｂ    第３周波数変換器（又は第７周波数変換器）
４５ａ−１，４５ｂ−１    ミキサ
４５ａ−２    第２局部発振器
４５ｂ−２    第３局部発振器
４６ａ    第２帯域フィルタ（又は第６帯域フィルタ）
４６ｂ    第３帯域フィルタ（又は第７帯域フィルタ）
４７ａ    高出力増幅器
４７ｂ    低雑音増幅器
４８ａ，４８ｂ    アンテナ
４９ａ，４９ｂ    アンテナ共用器
５０ａ    無線送信部
５０ｂ    無線受信部
５１ａ    無線送信部
５１ｂ    無線受信部
６０ａ，６０ｂ    ハイブリッド部
６１ａ    マッピング部
６１ｂ    逆マッピング部
６２ａ−１，６２ａ−２    ロールオフフィルタ
６２ｂ−１，６２ｂ−２    積分器
６３ａ−１，６３ａ−２    Ｄ／Ａ変換器
６３ｂ−１，６３ｂ−２    Ａ／Ｄ変換器
６４ａ−１，６４ａ−２，６４ｂ−１，６４ｂ−２    ミキサ
６５ａ，６５ｂ    局部発振器
６６ａ，６６ｂ    ９０°移相器
６７ａ    合波器
７１ａ，７１ｂ    多重無線送受信装置
【図１】
0003608936.tif 000006
【図２】
0003608936.tif 000007
【図３】
0003608936.tif 000008
【図４】
0003608936.tif 000009
【図５】
0003608936.tif 000010
【図６】
0003608936.tif 000011
【図７】
0003608936.tif 000012
【図８】
0003608936.tif 000013
【図９】
0003608936.tif 000014
【図１０】
0003608936.tif 000015
【図１１】
0003608936.tif 000016
【図１２】
0003608936.tif 000017
【図１３】
0003608936.tif 000018
【図１４】
0003608936.tif 000019
【図１５】
0003608936.tif 000020
【図１６】
0003608936.tif 000021
【図１７】
0003608936.tif 000022
【図１８】
0003608936.tif 000023
【図１９】
0003608936.tif 000024
【図２０】
0003608936.tif 000025
【図２１】
0003608936.tif 000026
【図２２】
0003608936.tif 000027
【図２３】
0003608936.tif 000028
【図２４】
0003608936.tif 000029
【図２５】
0003608936.tif 000030